(57)【要約】  本願は、端末デバイスがネットワークデバイスに下り信号に対応する上り信号を送信する時に通信品質を保証することができる上り信号の送信方法及びデバイスを提供する。該方法は、端末デバイスがネットワークデバイスにより送信された下り信号を受信することと、前記端末デバイスが前記下り信号の少なくとも１つのＴＣＩ状態に基づいて前記下り信号に対応する上り信号の空間関連情報を決定することと、前記端末デバイスが前記空間関連情報に基づいて前記ネットワークデバイスに前記下り信号に対応する上り信号を送信することとを含む。
2022501859.tif 000002
【特許請求の範囲】
【請求項１】
端末デバイスがネットワークデバイスにより送信された下り信号を受信することと、
前記端末デバイスが前記下り信号の少なくとも１つのＴＣＩ状態に基づいて、前記下り信号に対応する上り信号の空間関連情報を決定することと、
前記端末デバイスが前記空間関連情報に基づいて、前記ネットワークデバイスに前記上り信号を送信することとを含む
ことを特徴とする上り信号の送信方法。
【請求項２】
前記下り信号が物理下り共有チャネルＰＤＳＣＨ、物理下り制御チャネルＰＤＣＣＨ及びチャネル状態情報参照信号ＣＳＩ−ＲＳのうちの少なくとも１つを含み、前記下り信号に対応する上り信号が物理上り共有チャネルＰＵＳＣＨ、物理上り制御チャネルＰＵＣＣＨ及びサウンディング参照信号ＳＲＳのうちの少なくとも１つを含む
ことを特徴とする請求項１に記載の上り信号の送信方法。
【請求項３】
前記下り信号がＰＤＳＣＨであり、前記下り信号に対応する上り信号がＰＵＣＣＨであり、前記ＰＵＣＣＨが前記ＰＤＳＣＨの応答ＡＣＫ／否定応答ＮＡＣＫ情報を搬送するために使用される
ことを特徴とする請求項１又は２に記載の上り信号の送信方法。
【請求項４】
前記下り信号が無線リソース制御ＲＲＣシグナリングを搬送するＰＤＳＣＨであり、前記ＲＲＣシグナリングがチャネル状態情報ＣＳＩ報告を構成するために使用され、前記下り信号に対応する上り信号が前記ＣＳＩ報告を搬送するＰＵＣＣＨである
ことを特徴とする請求項１又は２に記載の上り信号の送信方法。
【請求項５】
前記下り信号が無線リソース制御ＲＲＣシグナリングを搬送するＰＤＳＣＨであり、前記ＲＲＣシグナリングがサウンディング参照信号ＳＲＳを構成するために使用され、前記下り信号に対応する上り信号が前記ＲＲＣシグナリングにより構成されたＳＲＳである
ことを特徴とする請求項１又は２に記載の上り信号の送信方法。
【請求項６】
前記下り信号が媒体アクセス制御ＭＡＣシグナリングを搬送するＰＤＳＣＨであり、前記ＭＡＣシグナリングがＣＳＩ報告を活性化するために使用され、前記下り信号に対応する上り信号が前記ＣＳＩ報告を搬送するＰＵＣＣＨである
ことを特徴とする請求項１又は２に記載の上り信号の送信方法。
【請求項７】
前記下り信号がＭＡＣシグナリングを搬送するＰＤＳＣＨであり、前記ＭＡＣシグナリングがＳＲＳ信号を活性化するために使用され、前記下り信号に対応する上り信号が前記ＭＡＣシグナリングにより活性化されたＳＲＳ信号である
ことを特徴とする請求項１又は２に記載の上り信号の送信方法。
【請求項８】
前記下り信号が下り制御シグナリングＤＣＩを搬送するＰＤＣＣＨであり、前記下り信号に対応する上り信号がＰＵＳＣＨであり、前記ＰＵＳＣＨが前記ＤＣＩによりスケジューリングされたデータ又は前記ＤＣＩによりトリガーされたＣＳＩ報告を搬送するために使用される
ことを特徴とする請求項１又は２に記載の上り信号の送信方法。
【請求項９】
前記下り信号がＤＣＩを搬送するＰＤＣＣＨであり、前記下り信号に対応する上り信号がＰＵＣＣＨであり、前記ＰＵＣＣＨが前記ＤＣＩによりトリガーされたＣＳＩ報告を搬送するために使用される
ことを特徴とする請求項１又は２に記載の上り信号の送信方法。
【請求項１０】
前記下り信号がＤＣＩを搬送するＰＤＣＣＨであり、前記下り信号に対応する上り信号が前記ＤＣＩによりトリガーされたＳＲＳである
ことを特徴とする請求項１又は２に記載の上り信号の送信方法。
【請求項１１】
前記下り信号がＣＳＩ−ＲＳであり、前記下り信号に対応する上り信号がＰＵＳＣＨ又はＰＵＣＣＨであり、前記ＰＵＳＣＨ又はＰＵＣＣＨが前記ＣＳＩ−ＲＳに基づいて測定されたＣＳＩを搬送するために使用される
ことを特徴とする請求項１又は２に記載の上り信号の送信方法。
【請求項１２】
前記下り信号がＣＳＩ−ＲＳであり、前記下り信号に対応する上り信号がＳＲＳであり、前記ＳＲＳのプリコーディングベクトルが前記ＣＳＩ−ＲＳに基づいて決定される
ことを特徴とする請求項１又は２に記載の上り信号の送信方法。
【請求項１３】
前記空間関連情報は、前記下り信号に対応する上り信号の送信に使用されるビーム及び/又はアンテナパネルを含む
ことを特徴とする請求項１〜１２のいずれか１項に記載の上り信号の送信方法。
【請求項１４】
前記下り信号の少なくとも１つのＴＣＩ状態にＣＳＩ−ＲＳリソースインデックスが含まれ、前記空間関連情報が前記下り信号に対応する上り信号の送信に使用されるビーム又はアンテナパネルであり、前記端末デバイスが前記下り信号の少なくとも１つのＴＣＩ状態に基づいて前記下り信号に対応する上り信号の空間関連情報を決定することは、
前記端末デバイスが、前記ＣＳＩ−ＲＳリソースインデックスに対応するＣＳＩ−ＲＳリソースに対応するＳＳＢの受信に使用されるビームを、前記下り信号に対応する上り信号の送信に使用されるビームとして決定すること、及び／又は、
前記端末デバイスが、前記ＣＳＩ−ＲＳリソースインデックスに対応するＣＳＩ−ＲＳリソースの受信に使用されるアンテナパネルを、前記下り信号に対応する上り信号の送信に使用されるアンテナパネルとして決定することを含む
ことを特徴とする請求項１〜１３のいずれか１項に記載の上り信号の送信方法。
【請求項１５】
前記下り信号の少なくとも１つのＴＣＩ状態に同期信号ブロックＳＳＢインデックスが含まれ、前記空間関連情報が前記下り信号に対応する上り信号の送信に使用されるビーム又はアンテナパネルであり、前記端末デバイスが前記下り信号の少なくとも１つのＴＣＩ状態に基づいて前記下り信号に対応する上り信号の空間関連情報を決定することは、
前記端末デバイスが前記ＳＳＢインデックスに対応するＳＳＢの受信に使用されるビームを、前記下り信号に対応する上り信号の送信に使用されるビームとして決定すること、及び／又は、
前記端末デバイスが、前記ＳＳＢインデックスに対応するＳＳＢの受信に使用されるアンテナパネルを、前記下り信号に対応する上り信号の送信に使用されるアンテナパネルとして決定することを含む
ことを特徴とする請求項１〜１４のいずれか１項に記載の上り信号の送信方法。
【請求項１６】
前記下り信号の少なくとも１つのＴＣＩ状態に前記下り信号に対応する位相追跡参照信号ＰＴＲＳポートが含まれ、前記空間関連情報が前記下り信号に対応する上り信号の送信に使用されるビーム又はアンテナパネルであり、前記端末デバイスが前記下り信号の少なくとも１つのＴＣＩ状態に基づいて前記下り信号に対応する上り信号の空間関連情報を決定することは、
前記端末デバイスが前記下り信号に対応するＰＴＲＳポートに基づいて、少なくとも１つのビームから前記ＰＴＲＳポートに対応するビームを前記下り信号に対応する上り信号の送信に使用されるビームとして選択すること、及び／又は、
前記端末デバイスが前記下り信号に対応するＰＴＲＳポートに基づいて、少なくとも１つのアンテナパネルから前記ＰＴＲＳポートに対応するアンテナパネルを前記下り信号に対応する上り信号の送信に使用されるアンテナパネルとして選択することを含む
ことを特徴とする請求項１〜１５のいずれか１項に記載の上り信号の送信方法。
【請求項１７】
前記端末デバイスが前記下り信号に対応するＰＴＲＳポートに基づいて少なくとも１つのビームから前記ＰＴＲＳポートに対応するビームを選択することは、
前記端末デバイスが前記下り信号に対応するＰＴＲＳポート、及び少なくとも１つのビームと少なくとも１つのＰＴＲＳポートとの対応関係に基づいて、前記ＰＴＲＳポートに対応するビームを決定し、前記少なくとも１つのビームと少なくとも１つのＰＴＲＳポートとの対応関係が、前記ネットワークデバイスが上位層シグナリングを介して構成されることを含み、
及び／又は、
前記端末デバイスが前記下り信号に対応するＰＴＲＳポートに基づいて、少なくとも１つのアンテナパネルから前記ＰＴＲＳポートに対応するアンテナパネルを選択することは、
前記端末デバイスが前記下り信号に対応するＰＴＲＳポート、及び少なくとも１つのアンテナパネルと少なくとも１つのＰＴＲＳポートとの対応関係に基づいて前記ＰＴＲＳポートに対応するアンテナパネルを決定し、前記少なくとも１つのアンテナパネルと少なくとも１つのＰＴＲＳポートとの対応関係が、前記ネットワークデバイスが上位層シグナリングを介して構成されることを含む
ことを特徴とする請求項１６に記載の上り信号の送信方法。
【請求項１８】
前記端末デバイスが前記下り信号の少なくとも１つのＴＣＩ状態に基づいて、前記下り信号に対応する上り信号の空間関連情報を決定することは、
前記端末デバイスが前記少なくとも１つのＴＣＩ状態における第１のＴＣＩ状態に基づいて、前記下り信号に対応する上り信号の空間関連情報を決定することを含む
ことを特徴とする請求項１〜１７のいずれか１項に記載の上り信号の送信方法。
【請求項１９】
前記第１のＴＣＩ状態は、
前記少なくとも１つのＴＣＩ状態のうちの１番目のＴＣＩ状態、
前記少なくとも１つのＴＣＩ状態のうちの２番目のＴＣＩ状態、
前記少なくとも１つのＴＣＩ状態のうちのＳＳＢインデックスを含むＴＣＩ状態、
前記少なくとも１つのＴＣＩ状態のうちの１番目の復調参照信号ＤＭＲＳポートグループに対応するＴＣＩ状態、
前記少なくとも１つのＴＣＩ状態のうちの２番目のＤＭＲＳポートグループに対応するＴＣＩ状態、
前記少なくとも１つのＴＣＩ状態のうちの１番目のＰＴＲＳポートを含むＴＣＩ状態、
前記少なくとも１つのＴＣＩ状態のうちの２番目のＰＴＲＳポートを含むＴＣＩ状態のいずれか１つである
ことを特徴とする請求項１７に記載の上り信号の送信方法。
【請求項２０】
前記端末デバイスが前記決定された空間関連情報を利用して前記ネットワークデバイスに前記下り信号に対応する上り信号を送信する前に、前記方法は、さらに、
前記端末デバイスが前記端末デバイスのビーム対応性が成立すると決定することを含む
ことを特徴とする請求項１〜１９のいずれか１項に記載の上り信号の送信方法。
【請求項２１】
前記端末デバイスが前記下り信号の少なくとも１つのＴＣＩ状態に基づいて前記下り信号に対応する上り信号の空間関連情報を決定する前に、前記方法は、さらに、
前記端末デバイスが前記下り信号を構成するＲＲＣシグナリングに基づいて、前記下り信号のＭＡＣシグナリングを活性化し又は前記下り信号のＤＣＩをトリガーし、前記下り信号の少なくとも１つのＴＣＩ状態を決定することを含む
ことを特徴とする請求項１〜２０のいずれか１項に記載の上り信号の送信方法。
【請求項２２】
ネットワークデバイスが端末デバイスに下り信号を送信することと、
前記ネットワークデバイスが前記下り信号の少なくとも１つのＴＣＩ状態に基づいて前記下り信号に対応する上り信号の空間関連情報を決定することと、
前記ネットワークデバイスが前記空間関連情報に基づいて、前記端末デバイスにより送信された前記上り信号を受信することとを含む
ことを特徴とする上り信号の送信方法。
【請求項２３】
通信ユニットと、処理ユニットと、を含む端末デバイスであって、
前記通信ユニットは、ネットワークデバイスにより送信された下り信号を受信するように構成され、
前記処理ユニットは、前記下り信号の少なくとも１つのＴＣＩ状態に基づいて前記下り信号に対応する上り信号の空間関連情報を決定するように構成され、
前記通信ユニットは、さらに、前記空間関連情報に基づいて前記ネットワークデバイスに前記上り信号を送信するように構成される
ことを特徴とする端末デバイス。
【請求項２４】
前記下り信号が物理下り共有チャネルＰＤＳＣＨ、物理下り制御チャネルＰＤＣＣＨ及びチャネル状態情報参照信号ＣＳＩ−ＲＳのうちの少なくとも１つを含み、前記下り信号に対応する上り信号が物理上り共有チャネルＰＵＳＣＨ、物理上り制御チャネルＰＵＣＣＨ及びサウンディング参照信号ＳＲＳのうちの少なくとも１つを含む
ことを特徴とする請求項２３に記載の端末デバイス。
【請求項２５】
前記下り信号がＰＤＳＣＨであり、前記下り信号に対応する上り信号がＰＵＣＣＨであり、前記ＰＵＣＣＨが前記ＰＤＳＣＨの応答ＡＣＫ／否定応答ＮＡＣＫ情報を搬送するために使用される
ことを特徴とする請求項２３又は２４に記載の端末デバイス。
【請求項２６】
前記下り信号が無線リソース制御ＲＲＣシグナリングを搬送するＰＤＳＣＨであり、前記ＲＲＣシグナリングがチャネル状態情報ＣＳＩ報告を構成するために使用され、前記下り信号に対応する上り信号が前記ＣＳＩ報告を搬送するＰＵＣＣＨである
ことを特徴とする請求項２３又は２４に記載の端末デバイス。
【請求項２７】
前記下り信号が無線リソース制御ＲＲＣシグナリングを搬送するＰＤＳＣＨであり、前記ＲＲＣシグナリングがサウンディング参照信号ＳＲＳを構成するために使用され、前記下り信号に対応する上り信号が前記ＲＲＣシグナリングにより構成された前記ＳＲＳである
ことを特徴とする請求項２３又は２４に記載の端末デバイス。
【請求項２８】
前記下り信号が媒体アクセス制御ＭＡＣシグナリングを搬送するＰＤＳＣＨであり、前記ＭＡＣシグナリングがＣＳＩ報告を活性化するために使用され、前記下り信号に対応する上り信号が前記ＣＳＩ報告を搬送するＰＵＣＣＨである
ことを特徴とする請求項２３又は２４に記載の端末デバイス。
【請求項２９】
前記下り信号がＭＡＣシグナリングを搬送するＰＤＳＣＨであり、前記ＭＡＣシグナリングがＳＲＳ信号を活性化するために使用され、前記下り信号に対応する上り信号が前記ＭＡＣシグナリングにより活性化された前記ＳＲＳ信号である
ことを特徴とする請求項２３又は２４に記載の端末デバイス。
【請求項３０】
前記下り信号が下り制御シグナリングＤＣＩを搬送するＰＤＣＣＨであり、前記下り信号に対応する上り信号がＰＵＳＣＨであり、前記ＰＵＳＣＨが前記ＤＣＩによりスケジューリングされたデータ又は前記ＤＣＩによりトリガーされたＣＳＩ報告を搬送するために使用される
ことを特徴とする請求項２３又は２４に記載の端末デバイス。
【請求項３１】
前記下り信号がＤＣＩを搬送するＰＤＣＣＨであり、前記下り信号に対応する上り信号がＰＵＣＣＨであり、前記ＰＵＣＣＨが前記ＤＣＩによりトリガーされたＣＳＩ報告を搬送するために使用される
ことを特徴とする請求項２３又は２４に記載の端末デバイス。
【請求項３２】
前記下り信号がＤＣＩを搬送するＰＤＣＣＨであり、前記下り信号に対応する上り信号が前記ＤＣＩによりトリガーされたＳＲＳである
ことを特徴とする請求項２３又は２４に記載の端末デバイス。
【請求項３３】
前記下り信号がＣＳＩ−ＲＳであり、前記下り信号に対応する上り信号がＰＵＳＣＨ又はＰＵＣＣＨであり、前記ＰＵＳＣＨ又はＰＵＣＣＨが前記ＣＳＩ−ＲＳに基づいて測定されたＣＳＩを搬送するために使用される
ことを特徴とする請求項２３又は２４に記載の端末デバイス。
【請求項３４】
前記下り信号がＣＳＩ−ＲＳであり、前記下り信号に対応する上り信号がＳＲＳであり、前記ＳＲＳのプリコーディングベクトルが前記ＣＳＩ−ＲＳに基づいて決定される
ことを特徴とする請求項２３又は２４に記載の端末デバイス。
【請求項３５】
前記空間関連情報は、前記下り信号に対応する上り信号の送信に使用されるビーム及び/又はアンテナパネルを含む
ことを特徴とする請求項２３〜３４のいずれか１項に記載の端末デバイス。
【請求項３６】
前記下り信号の少なくとも１つのＴＣＩ状態にＣＳＩ−ＲＳリソースインデックスが含まれ、前記空間関連情報が前記下り信号に対応する上り信号の送信に使用されるビーム又はアンテナパネルであり、前記処理ユニットは、
前記ＣＳＩ−ＲＳリソースインデックスに対応するＣＳＩ−ＲＳリソースの受信に使用されるビームを前記下り信号に対応する上り信号の送信に使用されるビームとして決定し、及び／又は、
前記ＣＳＩ−ＲＳリソースインデックスに対応するＣＳＩ−ＲＳリソースの受信に使用されるアンテナパネルを前記下り信号に対応する上り信号の送信に使用されるアンテナパネルとして決定するように構成される
ことを特徴とする請求項２３〜３５のいずれか１項に記載の端末デバイス。
【請求項３７】
前記下り信号の少なくとも１つのＴＣＩ状態に同期信号ブロックＳＳＢインデックスが含まれ、前記空間関連情報が前記下り信号に対応する上り信号の送信に使用されるビーム又はアンテナパネルであり、前記処理ユニットは、
前記ＳＳＢインデックスに対応するＳＳＢの受信に使用されるビームを前記下り信号に対応する上り信号の送信に使用されるビームとして決定し、及び／又は、
前記ＳＳＢインデックスに対応するＳＳＢの受信に使用されるアンテナパネルを前記下り信号に対応する上り信号の送信に使用されるアンテナパネルとして決定するように構成される
ことを特徴とする請求項２３〜３６のいずれか１項に記載の端末デバイス。
【請求項３８】
前記下り信号の少なくとも１つのＴＣＩ状態に前記下り信号に対応する位相追跡参照信号ＰＴＲＳポートが含まれ、前記空間関連情報が前記下り信号に対応する上り信号の送信に使用されるビーム又はアンテナパネルであり、前記処理ユニットは、
前記下り信号に対応するＰＴＲＳポートに基づいて、少なくとも１つのビームから前記ＰＴＲＳポートに対応するビームを前記下り信号に対応する上り信号の送信に使用されるビームとして選択し、及び／又は、
前記下り信号に対応するＰＴＲＳポートに基づいて、少なくとも１つのアンテナパネルから前記ＰＴＲＳポートに対応するアンテナパネルを前記下り信号に対応する上り信号の送信に使用されるアンテナパネルとして選択するように構成される
ことを特徴とする請求項２３〜３７のいずれか１項に記載の端末デバイス。
【請求項３９】
前記処理ユニットは、
前記下り信号に対応するＰＴＲＳポート、及び少なくとも１つのビームと少なくとも１つのＰＴＲＳポートとの対応関係に基づいて、前記ＰＴＲＳポートに対応するビームを決定し、前記少なくとも１つのビームと少なくとも１つのＰＴＲＳポートとの対応関係が、前記ネットワークデバイスが上位層シグナリングを介して構成され、
及び／又は、
前記下り信号に対応するＰＴＲＳポート、及び少なくとも１つのアンテナパネルと少なくとも１つのＰＴＲＳポートとの対応関係に基づいて、前記ＰＴＲＳポートに対応するアンテナパネルを決定するように構成され、前記少なくとも１つのアンテナパネルと少なくとも１つのＰＴＲＳポートとの対応関係が、前記ネットワークデバイスが上位層シグナリングを介して構成される
ことを特徴とする請求項３８に記載の端末デバイス。
【請求項４０】
前記処理ユニットは、
前記少なくとも１つのＴＣＩ状態のうちの第１のＴＣＩ状態に基づいて、前記下り信号に対応する上り信号の空間関連情報を決定するように構成される
ことを特徴とする請求項２３〜３８のいずれか１項に記載の端末デバイス。
【請求項４１】
前記第１のＴＣＩ状態は、
前記少なくとも１つのＴＣＩ状態のうちの１番目のＴＣＩ状態、
前記少なくとも１つのＴＣＩ状態のうちの２番目のＴＣＩ状態、
前記少なくとも１つのＴＣＩ状態のうちのＳＳＢインデックスを含むＴＣＩ状態、
前記少なくとも１つのＴＣＩ状態のうちの１番目の復調参照信号ＤＭＲＳポートグループに対応するＴＣＩ状態、
前記少なくとも１つのＴＣＩ状態のうちの２番目のＤＭＲＳポートグループに対応するＴＣＩ状態、
前記少なくとも１つのＴＣＩ状態のうちの１番目のＰＴＲＳポートを含むＴＣＩ状態、
前記少なくとも１つのＴＣＩ状態のうちの２番目のＰＴＲＳポートを含むＴＣＩ状態のいずれか１つである
ことを特徴とする請求項４０に記載の端末デバイス。
【請求項４２】
前記処理ユニットは、さらに、
前記端末デバイスのビーム対応性が成立すると決定するように構成される
ことを特徴とする請求項２３〜４１のいずれか１項に記載の端末デバイス。
【請求項４３】
前記処理ユニットは、さらに、
前記下り信号を構成するＲＲＣシグナリングに基づいて、前記下り信号のＭＡＣシグナリングを活性化し又は前記下り信号のＤＣＩをトリガーし、前記下り信号の少なくとも１つのＴＣＩ状態を決定するように構成される
ことを特徴とする請求項２３〜４２のいずれか１項に記載の端末デバイス。
【請求項４４】
通信ユニットと、処理ユニットと、を含むネットワークデバイスであって、
前記通信ユニットは、端末デバイスに下り信号を送信するように構成され、
前記処理ユニットは、前記下り信号の少なくとも１つのＴＣＩ状態に基づいて前記下り信号に対応する上り信号の空間関連情報を決定するように構成され、
前記通信ユニットは、さらに、前記空間関連情報に基づいて、前記端末デバイスにより送信された下り信号に対応する上り信号を受信するように構成される
ことを特徴とするネットワークデバイス。
【請求項４５】
コンピュータプログラムを記憶するメモリと、前記メモリに記憶されたコンピュータプログラムを呼び出して実行し、請求項１〜２１のいずれか１項に記載の方法を実行するプロセッサとを有する
ことを特徴とする端末デバイス。
【請求項４６】
コンピュータプログラムを記憶するメモリと、前記メモリに記憶されたコンピュータプログラムを呼び出して実行し、請求項２２に記載の方法を実行するプロセッサとを有する
ことを特徴とするネットワークデバイス。
【請求項４７】
コンピュータプログラムをメモリから呼び出して実行させて、チップが搭載されるデバイスに請求項１〜２１のいずれか１項に記載の方法を実行させるプロセッサを有する
ことを特徴とするチップ。
【請求項４８】
コンピュータプログラムをメモリから呼び出して実行させて、チップが搭載されるデバイスに請求項２２に記載の方法を実行させるプロセッサを有する
ことを特徴とするチップ。
【請求項４９】
コンピュータに請求項１〜２１のいずれか１項に記載の方法を実行させるコンピュータプログラムを記憶する
ことを特徴とするコンピュータ可読記憶媒体。
【請求項５０】
コンピュータに請求項２２に記載の方法を実行させるコンピュータプログラムを記憶する
ことを特徴とするコンピュータ可読記憶媒体。
【請求項５１】
コンピュータに請求項１〜２１のいずれか１項に記載の方法を実行させるコンピュータプログラム命令を有する
ことを特徴とするコンピュータプログラム製品。
【請求項５２】
コンピュータに請求項２２に記載の方法を実行させるコンピュータプログラム命令を有する
ことを特徴とするコンピュータプログラム製品。
【請求項５３】
コンピュータに、請求項１〜２１のいずれか１項に記載の方法を実行させる
ことを特徴とするコンピュータプログラム。
【請求項５４】
コンピュータに、請求項２２に記載の方法を実行させる
ことを特徴とするコンピュータプログラム。
【請求項５５】
コンピュータプログラムを記憶するメモリと、前記メモリに記憶されたコンピュータプログラムを呼び出して実行し、請求項１〜２１のいずれか１項に記載の方法を実行するプロセッサとを有する
ことを特徴とする端末デバイス。
【請求項５６】
コンピュータプログラムを記憶するメモリと、前記メモリに記憶されたコンピュータプログラムを呼び出して実行し、請求項２２に記載の方法を実行するプロセッサとを有する
ことを特徴とするネットワークデバイス。
【請求項５７】
コンピュータプログラムをメモリから呼び出して実行させて、チップが搭載されるデバイスに請求項１〜２１のいずれか１項に記載の方法を実行させるプロセッサを有する
ことを特徴とするチップ。
【請求項５８】
コンピュータプログラムをメモリから呼び出して実行させて、チップが搭載されるデバイスに請求項２２に記載の方法を実行させるプロセッサを有する
ことを特徴とするチップ。
【請求項５９】
コンピュータに請求項１〜２１のいずれか１項に記載の方法を実行させるコンピュータプログラムを記憶する
ことを特徴とするコンピュータ可読記憶媒体。
【請求項６０】
コンピュータに請求項２２に記載の方法を実行させるコンピュータプログラムを記憶する
ことを特徴とするコンピュータ可読記憶媒体。
【請求項６１】
コンピュータに請求項１〜２１のいずれか１項に記載の方法を実行させるコンピュータプログラム命令を有する
ことを特徴とするコンピュータプログラム製品。
【請求項６２】
コンピュータに請求項２２に記載の方法を実行させるコンピュータプログラム命令を有する
ことを特徴とするコンピュータプログラム製品。
【請求項６３】
コンピュータに、請求項１〜２１のいずれか１項に記載の方法を実行させる
ことを特徴とするコンピュータプログラム。
【請求項６４】
コンピュータに、請求項２２に記載の方法を実行させる
ことを特徴とするコンピュータプログラム。
【発明の詳細な説明】
【技術分野】
【０００１】
本願は、通信分野に関し、具体的に、上り信号の送信方法及びデバイスに関する。
【背景技術】
【０００２】
ＮＲ（ｎｅｗ ｒａｄｉｏ）システムでは、ネットワークデバイスは、１つまたは複数の伝送点（ｔｒａｎｓｍｉｓｓｉｏｎ/ｒｅｃｅｐｔｉｏｎ ｐｏｉｎｔ、ＴＲＰ）またはアンテナパネルを使用して、端末デバイスに下り信号を独立して送信することができ、端末デバイスは、下り信号に対応する上り信号をネットワークデバイスに送信するとき、この下り信号を送信したＴＲＰまたはアンテナパネルに送信する必要がある。上り信号をどのように送信して通信品質を保証するかが急務の課題である。
【発明の概要】
【０００３】
本願の実施例は、端末デバイスがネットワークデバイスに下り信号に対応する上り信号を送信する時に通信品質を保証することができる上り信号の送信方法及びデバイスを提供する。
【０００４】
第１の態様は、上り信号の送信方法を提供し、前記方法は、端末デバイスがネットワークデバイスにより送信された下り信号を受信することと、前記端末デバイスが前記下り信号の少なくとも１つのＴＣＩ状態に基づいて前記下り信号に対応する上り信号の空間関連情報を決定することと、前記端末デバイスが前記空間関連情報に基づいて前記ネットワークデバイスに前記下り信号に対応する上り信号を送信することとを含む。
【０００５】
第２の態様は、上り信号の送信方法を提供し、前記方法は、ネットワークデバイスが端末デバイスに下り信号を送信することと、前記ネットワークデバイスが前記下り信号の少なくとも１つのＴＣＩ状態に基づいて前記下り信号に対応する上り信号の空間関連情報を決定することと、前記ネットワークデバイスが前記空間関連情報に基づいて前記端末デバイスにより送信された下り信号に対応する上り信号を受信することとを含む。
【０００６】
第３の態様は、上記第１の態様又はその様々な実施例における方法を実行するための端末デバイスを提供する。
【０００７】
具体的には、この端末デバイスは、上記第１の態様又はその各実施例における方法を実行するための機能モジュールを備える。
【０００８】
第４の態様は、上記第２の態様又はその様々な実施例における方法を実行するためのネットワークデバイスを提供する。
【０００９】
具体的には、このネットワークデバイスは、上記第２の態様又はその各実施例における方法を実行するための機能モジュールを備える。
【００１０】
第５の態様は、プロセッサとメモリとを備える端末デバイスを提供する。メモリは、コンピュータプログラムを記憶し、プロセッサは、メモリに記憶されたコンピュータプログラムを呼び出して実行し、上記第１の態様またはその様々な実施例における方法を実行する。
【００１１】
第６の態様は、プロセッサとメモリとを備えるネットワークデバイスを提供する。メモリは、コンピュータプログラムを記憶し、プロセッサは、メモリに記憶されたコンピュータプログラムを呼び出して実行し、上記第２の態様またはその様々な実施例における方法を実行する。
【００１２】
第７の態様は、上述の第１から第２の態様のいずれか、またはその各実施例における方法を実施するためのチップを提供する。
【００１３】
具体的には、このチップは、コンピュータプログラムをメモリから呼び出して実行することで、チップが実装されたデバイスに、第１の態様から第２の態様のいずれか、またはそれらの実施例による方法を実行させるプロセッサを含む。
【００１４】
第８の態様は、コンピュータに、上述の第１の態様から第２の態様のいずれか、またはそれらの実施例における方法を実行させるコンピュータプログラムを記憶するコンピュータ可読記憶媒体を提供する。
【００１５】
第９の態様は、コンピュータに、上述の第１の態様から第２の態様のいずれか、またはそれらの実施例における方法を実行させるコンピュータプログラム命令を含むコンピュータプログラム製品を提供する。
【００１６】
第１０の態様は、コンピュータ上で実行されたときに、コンピュータに、上記の第１から第２の態様のいずれか、またはその様々な実施例における方法を実行させるコンピュータプログラムを提供する。
【００１７】
本願の実施例で提供される技術案では、下り信号に対応する上り信号の空間関連情報は、下り信号のＴＣＩ状態に基づいて決定される。下り信号のＴＣＩ状態は下り信号を送信しているＴＲＰまたはアンテナパネルに関連するので、異なるＴＲＰまたはアンテナパネルはそれぞれ独立したＴＣＩ状態を有する。このように、下り信号のＴＣＩ状態によって決定される下り信号に対応する上り信号の空間関連情報もＴＲＰまたはアンテナパネルと関連するため、端末デバイスが該空間関連情報に基づいて下り信号に対応する上り信号を送信する場合、下り信号を送信するＴＲＰまたはアンテナパネルを合わせることができ、端末デバイスがＴＲＰまたはアンテナパネルを介して信号を受信する品質を保証し、通信品質を保証することができる。
【図面の簡単な説明】
【００１８】
【図１】本願の実施例における通信システムのアーキテクチャの模式図である。
【図２】本願の実施例における上り信号の送信方法の模式図である。
【図３】本願の実施例における他の上り信号の送信方法の模式図である。
【図４】本願の実施例における端末デバイスのブロック図である。
【図５】本願の実施例におけるネットワークデバイスのブロック図である。
【図６】本願の実施例における通信デバイスのブロック図である。
【図７】本願の実施例におけるチップのブロック図である。
【図８】本願の実施例における通信システムのブロック図である。
【発明を実施するための形態】
【００１９】
以下、本願の実施例における技術的な解決策を、本願の実施例における図面を参照して、明確且つ完全に説明する。
【００２０】
以下、本願の実施例における技術的手段を本願の実施例における図面を参照して説明する。
【００２１】
本願の実施例に係る技術方案は、様々な通信システム、例えば、ＧＳＭ （ Ｇｌｏｂａｌ Ｓｙｓｔｅｍ ｏｆ Ｍｏｂｉｌｅ ｃｏｍｍｕｎｉｃａｔｉｏｎ )システム、ＣＤＭＡ （ Ｃｏｄｅ Ｄｉｖｉｓｉｏｎ Ｍｕｌｔｉｐｌｅ Ａｃｃｅｓｓ )システム、ＷＣＤＭＡ （ Ｗｉｄｅｂａｎｄ Ｃｏｄｅ Ｄｉｖｉｓｉｏｎ Ｍｕｌｔｉｐｌｅ Ａｃｃｅｓｓ )システム、ＧＰＲＳ （ Ｇｅｎｅｒａｌ Ｐａｃｋｅｔ Ｒａｄｉｏ Ｓｅｒｖｉｃｅ )、ＬＴＥ （ Ｌｏｎｇ ｔｅｒｍ Ｅｖｏｌｕｔｉｏｎ )システム、ＬＴＥ周波数分割複信( Ｆｒｅｑｕｅｎｃｙ Ｄｉｖｉｓｉｏｎ Ｄｕｐｌｅｘ、ＦＤＤ )システム、ＴＤＤ （ Ｔｉｍｅ Ｄｉｖｉｓｉｏｎ Ｄｕｐｌｅｘ )システム、ＬＴＥ−Ａ （ Ａｄｖａｎｃｅｄ ｌｏｎｇ ｔｅｒｍ ｅｖｏｌｕｔｉｏｎ ）システム、ＮＲ （ Ｎｅｗ Ｒａｄｉｏ、ＮＲ )システム、ＮＲシステムの進化システム、免許不要スペクトル上のＬＴＥ （ ＬＴＥ−ｂａｓｅｄ ａｃｃｅｓｓ ｔｏ ｕｎｌｉｃｅｎｓｅｄ ｓｐｅｃｔｒｕｍ、ＬＴＥ−U )システム、免許不要スペクトル上のＮＲ （ ＮＲ−ｂａｓｅｄ ａｃｃｅｓｓ ｔｏ ｕｎｌｉｃｅｎｓｅｄ ｓｐｅｃｔｒｕｍ、ＮＲ−Ｕ )システム、汎用移動体通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡＸ )通信システム、無線ローカルエリアネットワーク( Ｗｉｒｅｌｅｓｓ Ａｒｅａ Ｎｅｔｗｏｒｋ ) （ ＷＬＡＮ )、無線保真性( Ｗｉｒｅｌｅｓｓ Ｆｉｄｅｌｉｔｙ )、ＷｉＦｉ、次世代通信システム、又は他の通信システムに適用されることができる。
【００２２】
一般に、従来の通信システムがサポートする接続数が制限されており、実現が容易であるが、通信技術の発展に伴い、移動通信システムは、従来の通信だけでなく、例えば、Ｄｅｖｉｃｅ ｔｏ Ｄｅｖｉｃｅ （ Ｄ２Ｄ )通信、Ｍ２Ｍ （ Ｍａｃｈｉｎｅ ｔｏ Ｍａｃｈｉｎｅ )通信、ＭＴＣ （ Ｍａｃｈｉｎｅ Ｔｙｐｅ Ｃｏｍｍｕｎｉｃａｔｉｏｎ )、およびＶ２Ｖ （ Ｖｅｈｉｃｌｅ ｔｏ Ｖｅｈｉｃｌｅ )通信などをもサポートすることになり、本願の実施例は、これらの通信システムにも適用可能である。
【００２３】
任意選択で、本願の実施例における通信システムは、ＣＡ （ Ｃａｒｒｉｅｒ Ａｇｇｒｅｇａｔｉｏｎ )シナリオに適用されてもよいし、ＤＣ （ Ｄｕａｌ Ｃｏｎｎｅｃｔｉｖｉｔｙ )シナリオに適用されてもよいし、ＳＡ （ Ｓｔａｎｄａｌｏｎｅ )ネットワークシナリオに適用されてもよい。
【００２４】
例示的に、本願の実施例が適用される通信システム１００を図１に示す。この無線通信システム１００は、ネットワークデバイス１１０を含み得る。ネットワークデバイス１１０は、端末デバイスと通信するデバイスであってもよい。ネットワークデバイス１１０は、特定の地理的エリアに通信カバレージを提供し得、カバレージエリア内に位置付けられた端末デバイスと通信し得る。任意選択で、このネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )であってもよいし、ＷＣＤＭＡシステムにおける基地局( ＮｏｄｅＢ、ＮＢ )であってもよいし、ＬＴＥシステムにおけるＥｖｏｌｕｔｉｏｎａｌ Ｎｏｄｅ Ｂ ( ｅＮＢまたはｅＮｏｄｅＢ )であってもよいし、ＮＲシステムにおけるネットワーク側機器であってもよいし、Ｃｌｏｕｄ Ｒａｄｉｏ Ａｃｃｅｓｓ Ｎｅｔｗｏｒｋ ( ＣＲＡＮ )における無線コントローラであってもよいし、中継局、アクセスポイント、車載機器、ウェアラブル機器、次世代ネットワークにおけるネットワーク側機器、または将来進化してくるＰｕｂｌｉｃ Ｌａｎｄ Ｍｏｂｉｌｅ Ｎｅｔｗｏｒｋ （ ＰＬＭＮ )におけるネットワークデバイスなどであってもよい。
【００２５】
この通信システム１００は、ネットワークデバイス１１０のカバレージ内に位置する少なくとも１つの端末デバイス１２０をさらに含む。ここで、「端末デバイス」とは、公衆回線交換網ＰＳＴＮ（Ｐｕｂｌｉｃ Ｓｗｉｔｃｈｅｄ Ｔｅｌｅｐｈｏｎｅ Ｎｅｔｗｏｒｋｓ）、ＤＳＬ（Ｄｉｇｉｔal Ｓｕｂｓｃｒｉｂｅｒ Ｌｉｎｅ）、デジタル回線、直接ケーブルなどの有線回線接続、および／または別のデータ接続／ネットワーク、および／または、例えばセルラネットワーク、無線ローカルエリアネットワークＷＬＡＮ（Ｗｉｒｅｌｅｓｓ Ｌｏｃａｌ Ａｒｅａ Ｎｅｔｗｏｒｋ）、例えばＤＶＢ−Ｈネットワークのようなディジタルテレビネットワーク、衛星ネットワーク、ＡＭ−ＦＭ放送送信機のための無線インターフェースを介し、及び／又は別の端末デバイスの通信信号を受信／送信するように構成された手段、および／またはＩｏＴ（Ｉｎｔｅｒｎｅｔ ｏｆ Ｔｈｉｎｇｓ）デバイスを含む。無線インターフェースを介して通信するように構成された端末デバイスは、「無線通信端末」、「無線端末」、または「モバイル端末」と呼ばれ得る。
【００２６】
端末デバイス１２０は、移動可能又は固定可能であってよい。任意選択で、端末デバイス１２０は、アクセス端末、ＵＥ、ユーザユニット、加入者局、移動局、遠隔端末、モバイルデバイス、ユーザ端末、無線通信デバイス、ユーザエージェント、またはユーザ機器を指してもよい。アクセス端末は、セルラー電話、コードレス電話、ＳＩＰ （ Ｓｅｓｓｉｏｎ Ｉｎｉｔｉａｔｉｏｎ Ｐｒｏｔｏｃｏｌ )電話、ＷＬＬ （ Ｗｉｒｅｌｅｓｓ Ｌｏｃａｌ Ｌｏｏｐ )局、ＰＤＡ （ Ｐｅｒｓｏｎａｌ Ｄｉｇｉｔａｌ Ａｓｓｉｓｔａｎｔ )、無線通信機能を有するハンドヘルド装置、無線モデムに接続されたコンピューティング装置または他の処理装置、車載装置、ウェアラブル装置、将来の５Gネットワークにおける端末デバイス、または将来に進化したＰＬＭＮにおける端末デバイスなどであり得る。なお、任意選択で、端末デバイス１２０間でＤｅｖｉｃｅ ｔｏ Ｄｅｖｉｃｅ ( Ｄ２Ｄ )通信が行われてもよい。
【００２７】
具体的には、ネットワークデバイス１１０がセルにサービスを提供し、端末デバイス１２０がセルの使用する伝送リソース(例えば、周波数領域リソース、又はスペクトルリソース)を介してネットワークデバイス１１０と通信する、このセルは、ネットワークデバイス１１０(例えば、基地局)に対応するセルであってもよく、セルは、マクロ基地局に属してもよく、スモールセル（Ｓｍａｌｌ ｃｅｌｌ）に対応する基地局に属してもよく、ここで、スモールセルは、カバレッジが小さく、送信電力が低いという特徴を有し、高レートのデータ伝送サービスを提供するのに適した、都市セル（Ｍｅｔｒｏ ｃｅｌｌ）、マイクロセル（Ｍｉｃｒｏ ｃｅｌｌ）、ピコセル（Ｐｉｃｏ ｃｅｌｌ）、フェムトセル（Ｆｅｍｔｏ ｃｅｌｌ）などを含んでもよい。
【００２８】
図１は、１つのネットワークデバイスと２つの端末デバイスとを例示的に示し、任意選択で、この無線通信システム１００は、複数のネットワークデバイスを含み、各ネットワークデバイスのカバレッジ内に他の数の端末デバイスを含み得るが、本願の実施例は、これに限定されない。任意選択で、この無線通信システム１００は、ネットワークコントローラ、移動管理エンティティ等の他のネットワークエンティティをさらに含んでもよく、本願の実施例はこれに限定されない。
【００２９】
ＮＲシステムを例とし、ネットワークデバイスは、各下り信号に対して、対応する伝送構成指示（ｔｒａｎｓｍｉｓｓｉｏｎ ｃｏｎｆｉｇｕｒａｔｉｏｎ ｉｎｄｉｃａｔｏｒ、ＴＣＩ）状態を構成することができ、端末デバイスはこれに基づいて下り信号の受信を行うことができる。
【００３０】
任意選択で、１つのＴＣＩ状態は、チャネル状態情報参照信号（ｃｈａｎｎｅｌ ｓｔａｔｅ ｉｎｆｏｒｍａｔｉｏｎ ｒｅｆｅｒｅｎｃｅ ｓｉｇｎａｌ、ＣＳＩ−ＲＳ）リソースのインデックス、同期信号ブロック（ｓｙｎｃｈｒｏｎｉｚａｔｉｏｎ ｓｉｇｎａｌ ＢＬＯＣＫ、ＳＳＢ）インデックス及びＰＴＲＳポートのうちの少なくとも１つを含む。
【００３１】
ここで、ＣＳＩ−ＲＳリソースのインデックスは、ＣＳＩ−ＲＳリソースのＩＤ（ｉｄｅｎｔｉｔｙ）であってもよい。
【００３２】
異なるＣＳＩ−ＲＳが異なるリソースで送信され、異なるＳＲＳが異なるリソースで送信される。
【００３３】
任意選択で、端末デバイスは、ＴＣＩ状態のうちのＣＳＩ−ＲＳリソースインデックス及び／又はＳＳＢインデックスに基づいて下り信号の空間受信パラメータを決定することができ、該空間受信パラメータは、前記下り信号の受信に使用されるビーム又はアンテナパネル（ｐａｎｅｌ）を示すことができる。
【００３４】
ＣＳＩ−ＲＳを例とし、ネットワークデバイスが異なるビームを利用して端末デバイスに複数のＣＳＩ−ＲＳを送信し、端末デバイスがＣＳＩ−ＲＳの受信状況に基づいてネットワークデバイスにＣＳＩ−ＲＳの選択を報告することができる。
【００３５】
任意選択で、端末デバイスは、ネットワークデバイスに受信品質の最も良いＣＳＩ−ＲＳのＣＳＩ−ＲＳリソースのインデックスを報告することができる。又は、端末デバイスがネットワークデバイスに少なくとも１つのＣＳＩ−ＲＳリソースでの受信品質を報告し、該報告情報は、少なくとも１つのＣＳＩ−ＲＳリソースのインデックス値及び該リソースでの信号受信品質等を含む。
【００３６】
その後、ネットワークデバイスが下り信号を送信する時に、各下り信号のためにＴＣＩ状態を構成し、ＴＣＩ状態にＣＳＩ−ＲＳリソースのインデックスが含まれる。端末デバイスは、下り信号と該ＣＳＩ−ＲＳリソースでのＣＳＩ−ＲＳとが同じビームを利用すると仮定することで、前記ＣＳＩ−ＲＳリソースと同じ受信ビームを利用して該下り信号を受信する。
【００３７】
ＳＲＳを例とし、端末デバイスが異なるビームを利用してネットワークデバイスに複数のＳＲＳを送信し、ネットワークデバイスがＳＲＳの受信品質に応じて、端末デバイスにＳＲＳリソース指示情報を送信し、その中の受信品質が最も良いＳＲＳリソースを示し、これにより、端末デバイスが該ＳＲＳリソースを送信するビームを利用して以降の他の信号を送信する。
【００３８】
以上、ビームを例とし、端末デバイスが下り信号の少なくとも１つのＴＣＩ状態に基づいて下り信号の受信に用いるビームを決定する場合について説明した。この方法は、アンテナパネルについても同様に適用できる。
【００３９】
ＣＳＩ−ＲＳを例とし、ネットワークデバイスが異なるアンテナパネルを利用して複数のＣＳＩ−ＲＳを送信し、端末デバイスが異なるアンテナパネルを利用してＣＳＩ−ＲＳを受信することができる。その後、ネットワークデバイスが送信した下り信号の少なくとも１つのＴＣＩ状態において１つのＣＳＩ−ＲＳリソースのインデックスを指示し、端末デバイスが該ＣＳＩ−ＲＳリソースのインデックスに基づいて該ＣＳＩ−ＲＳリソースでのＣＳＩ−ＲＳの受信に使用されるアンテナパネルを決定し、該アンテナパネルを利用して下り信号を受信する。
【００４０】
ＳＲＳを例とし、端末デバイスが異なるアンテナパネルを利用して複数のＳＲＳを送信し、ネットワークデバイスがＳＲＳの受信品質に基づいて、端末デバイスにＳＲＳリソース指示情報を送信し、その中の受信品質の最も良いＳＲＳリソースを指示することで、端末デバイスが該ＳＲＳリソースを送信するアンテナパネルを利用して以降の他の信号を送信する。
【００４１】
なお、本願の実施例におけるビームは、アンテナパネルにより形成されてもよく、１方向のビームは、複数のアンテナパネルにより形成されてもよく、１つのアンテナパネルにより形成されてもよい。１つのアンテナパネルが、１方向のビームを形成してもよいし、異なる方向のビームを形成してもよい。
【００４２】
任意選択で、本願の実施例におけるビームは、空間領域伝送フィルタ（ｓｐａｔｉａｌ ｄｏｍａｉｎ ｔｒａｎｓｍｉｓｓｉｏｎ ｆｉｌｔｅｒ）とも言われる。
【００４３】
ネットワークデバイスがある下り信号の少なくとも１つのＴＣＩ状態において１つのＣＳＩ−ＲＳリソースを指示する場合、端末デバイスが該下り信号と該ＣＳＩ−ＲＳリソースとが同じビーム又はアンテナパネルを利用すると仮定することで、端末デバイスが該ＣＳＩ−ＲＳリソースの受信に使用されるビーム又はアンテナパネルを利用して該下り信号を受信することができる。
【００４４】
ネットワークデバイスがある下り信号において１つのＳＳＢインデックスを指示する場合、端末デバイスが該下り信号と該ＳＳＢインデックスが示すＳＳＢとが同じビーム又はアンテナパネルを利用すると仮定することで、端末デバイスが該ＳＳＢの送信に使用されるビームを利用して該下り信号を受信することができる。
【００４５】
ＮＲシステムを例とし、ネットワークデバイスが複数のＴＲＰ、アンテナパネル又はビームを採用して端末デバイスに複数の下り信号を独立して送信し、端末デバイスが該複数のＴＲＰ、アンテナパネル又はビームに下り信号に対応する上り信号をそれぞれ送信する必要がある。下り信号を受信する時に、端末デバイスが異なるアンテナパネル又はビームを利用して異なる下り信号を受信することができる。端末デバイスが下り信号に対応する上り信号を送信するために使用されるビーム又はアンテナパネルと下り信号を受信するために使用されるビーム又はアンテナパネルとが異なる場合、端末デバイスが下り信号に対応する上り信号を送信するために使用されるビームが対応するＴＲＰ又はアンテナパネルを合わせない可能性があるので、対応するＴＲＰ又はアンテナパネルに送信した上り信号の伝送性能が悪くなる。
【００４６】
本願の実施例は、上り信号の伝送方法及びデバイスを提供し、端末デバイスの上り伝送の確実性を保証することができる。
【００４７】
図２は本願の実施例における上り信号の伝送方法の模式図である。図２の方法は、ステップ２１０〜２３０を含む。
【００４８】
ステップ２１０において、端末デバイスがネットワークデバイスにより送信された下り信号を受信する。
【００４９】
任意選択で、該下り信号は、物理下り共有チャネル（Ｐｈｙｓｉｃａｌ ｄｏｗｎｌｉｎｋ ｓｈａｒｅｄ ｃｈａｎｎｅｌ、ＰＤＳＣＨ）、物理下り制御チャネル（Ｐｈｙｓｉｃａｌ ｄｏｗｎｌｉｎｋ ｃｏｎｔｒｏｌ ｃｈａｎｎｅｌ、ＰＤＣＣＨ）、又はＣＳＩ−ＲＳ等のうちの少なくとも１つを含む。
【００５０】
ここで、ＰＤＳＣＨがデータ情報又は上位層シグナリング等を搬送するために使用される。例えば、ＰＤＳＣＨは、データを伝送し、又は、無線リソース制御（ｒａｄｉｏ ｒｅｓｏｕｒｃｅ ｃｏｎｔｒｏｌ、ＲＲＣ）シグナリングを搬送し、又は、媒体アクセス制御（ｍｅｄｉｕｍ ａｃｃｅｓｓ ｃｏｎｔｒｏｌ、ＭＡＣ）シグナリングを搬送する。
【００５１】
ＰＤＣＣＨは、スケジューリング情報又は制御情報を搬送し、例えば、下り制御シグナリング（ｄｏｗｎｌｉｎｋ ｃｏｎｔｒｏｌ ｉｎｆｏｒｍａｔｉｏｎ、ＤＣＩ）を搬送し、ＤＣＩが上り伝送をスケジューリングするために使用される。
【００５２】
端末デバイスは、ネットワークデバイスにより送信された下り信号を受信する時に、該下り信号に対応するＴＣＩ状態に基づいて受信することができる。
【００５３】
任意選択で、端末デバイスは、下り信号の少なくとも１つのＴＣＩ状態のうちのＣＳＩ−ＲＳリソースインデックスＳＳＢインデックスに基づいて下り信号を受信することができる。端末デバイスは、前記インデックスが示すＣＳＩ−ＲＳリソース及び／又はＳＳＢの受信に使用されるアンテナパネルを利用して前記下り信号を受信し、又は、前記インデックスが示すＣＳＩ−ＲＳリソース及び／又はＳＳＢの受信に使用されるビームを利用して下り信号を受信することができる。
【００５４】
ステップ２２０において、端末デバイスは、下り信号の少なくとも１つのＴＣＩ状態に基づいて、下り信号に対応する上り信号の空間関連情報を決定する。
【００５５】
該空間関連情報は、下り信号に対応する上り信号の送信に使用されるビーム又はアンテナパネルを示すことができる。
【００５６】
具体的に、端末デバイスは、前記空間関連情報の受信に含まれるＣＳＩ−ＲＳリソースインデックスが示すＣＳＩ−ＲＳリソース、又は、ＳＳＢインデックスが示すＳＳＢに使用されるアンテナパネルｐａｎｅｌ又はビームを利用して、前記下り信号に対応する上り信号を送信することができる。
【００５７】
下り信号に対応する上り信号は、物理上り共有チャネル（Ｐｈｙｓｉｃａｌ ｕｐｌｉｎｋ ｓｈａｒｅｄ ｃｈａｎｎｅｌ、ＰＵＳＣＨ）、物理上り制御チャネル（Ｐｈｙｓｉｃａｌ ｕｐｌｉｎｋ ｃｏｎｔｒｏｌ ｃｈａｎｎｅｌ、ＰＵＣＣＨ）及びサウンディング参照信号（ｓｏｕｎｄｉｎｇ ｒｅｆｅｒｅｎｃｅ ｓｉｇｎａｌ、ＳＲＳ）のうちの少なくとも１つを含む。
【００５８】
ステップ２３０において、端末デバイスは、該空間関連情報を利用してネットワークデバイスに該下り信号に対応する上り信号を送信する。
【００５９】
本願の実施例に係る技術案において、下り信号に対応する上り信号の空間関連情報は、下り信号のＴＣＩ状態に基づいて決定される。下り信号のＴＣＩ状態が下り信号を送信するＴＲＰ又はアンテナパネルに関連するため、異なるＴＲＰ又はアンテナパネルがそれぞれ独立するＴＣＩ状態を有する。このように、下り信号のＴＣＩ状態に基づいて決定された下り信号に対応する上り信号の空間関連情報もＴＲＰ又はアンテナパネルに関連するため、端末デバイスは、該空間関連情報に基づいて下り信号に対応する上り信号を送信する時に、下り信号を送信するＴＲＰ又はアンテナパネルを合わせて、端末デバイスがＴＲＰ又はアンテナパネルを介して信号を受信する品質を保証し、さらに、通信の品質を保証することができる。
【００６０】
図３は本願の実施例における他の上り信号の伝送方法の模式図であり、図３の方法は、ステップ３１０〜３３０を含む。
【００６１】
ステップ３１０において、ネットワークデバイスが端末デバイスに下り信号を送信する。
【００６２】
任意選択で、該下り信号は、ＰＤＳＣＨ、ＰＤＣＣＨ、及び／又はＣＳＩ−ＲＳ等であっても良い。
【００６３】
ここで、ＰＤＳＣＨは、データ情報又は上位層シグナリング等を搬送する。例えば、ＰＤＳＣＨは、データを伝送し、又は、ＲＲＣシグナリングを搬送し、又は、ＭＡＣシグナリングを搬送する。
【００６４】
ＰＤＣＣＨは、スケジューリング情報又は制御情報を搬送し、例えば、ＤＣＩを搬送し、ＤＣＩが上り伝送をスケジューリングする。
【００６５】
ステップ３２０において、ネットワークデバイスは、下り信号のＴＣＩ状態に基づいて下り信号に対応する上り信号の空間関連情報を決定する。
【００６６】
下り信号に対応する上り信号は、ＰＵＳＣＨ、ＰＵＣＣＨ及びＳＲＳのうちの少なくとも１つを含む。
【００６７】
該空間関連情報は、下り信号に対応する上り信号の受信に使用されるビーム及び/又はアンテナパネルを示す。
【００６８】
ネットワークデバイスが各下り信号のためにＴＣＩ状態を構成し、ネットワークデバイスが端末デバイスからの下り信号に対応する上り信号を受信する時に、該下り信号のＴＣＩ状態に基づいて下り信号に対応する上り信号の空間関連情報を決定することができる。
【００６９】
ステップ３３０において、ネットワークデバイスは、該空間関連情報を利用して端末デバイスにより送信された下り信号に対応する上り信号を受信する。
【００７０】
本願の実施例に係る技術案において、下り信号に対応する上り信号の空間関連情報は、下り信号のＴＣＩ状態に基づいて決定される。下り信号のＴＣＩ状態が下り信号を送信するＴＲＰ又はアンテナパネルに関連するため、異なるＴＲＰ又はアンテナパネルがそれぞれ独立するＴＣＩ状態を有する。このように、下り信号のＴＣＩ状態に基づいて決定された下り信号に対応する上り信号の空間関連情報もＴＲＰ又はアンテナパネルに関連するため、端末デバイスは、該空間関連情報に基づいて下り信号に対応する上り信号を送信する時に、下り信号を送信するＴＲＰ又はアンテナパネルを合わせて、端末デバイスがＴＲＰ又はアンテナパネルを介して信号を受信する品質を保証し、さらに、通信の品質を保証することができる。
【００７１】
上り信号と下り信号とが各種の対応関係を有し、以下、下り信号に対応する上り信号の複数の形態を詳しく説明する。
【００７２】
なお、以下の説明が図２に示す方法に適用され、図３に示す方法も適用される。
【００７３】
下り信号がＰＤＳＣＨである場合、下り信号に対応する上り信号は、ＰＵＣＣＨ又はＳＲＳである。
【００７４】
例えば、下り信号ＰＤＳＣＨがユーザーデータ情報を搬送し、端末デバイスがＰＤＳＣＨの受信状況に対してネットワークデバイスにデータに対応する応答（ａｃｋｎｏｗｌｅｄｇｍｅｎｔ、ＡＣＫ）/否定応答（ｎｅｇａｔｉｖｅ−ａｃｋｎｏｗｌｅｄｇｍｅｎｔ、ＮＡＣＫ）フィードバックする可能性がある。この時、下り信号に対応する上り信号がＰＵＣＣＨであっても良く、該ＰＵＣＣＨがＰＤＳＣＨのＡＣＫ/ＮＡＣＫフィードバック情報を搬送する。
【００７５】
ネットワークデバイスが異なるビームを利用して端末デバイスに複数のＰＤＳＣＨを送信し、この時、端末デバイスが該複数のＰＤＳＣＨにおける各ＰＤＳＣＨの受信状況に基づいて、ネットワークデバイスにＡＣＫ/ＮＡＣＫフィードバックを行う可能性がある。
【００７６】
例えば、ネットワークデバイスが異なるビームを利用して端末デバイスに第１のＰＤＳＣＨ及び第２のＰＤＳＣＨを送信し、端末デバイスが第１のＰＤＳＣＨに対してＡＣＫ/ＮＡＣＫフィードバックを行う時に、第１のＰＵＣＣＨを利用して第１のＰＤＳＣＨのＡＣＫ/ＮＡＣＫフィードバック情報を搬送する。第１のＰＵＣＣＨを送信する時に、端末デバイスが第１のＰＤＳＣＨのＴＣＩ状態に基づいて第１のＰＵＣＣＨの空間関連情報を決定してから、該第１のＰＵＣＣＨの空間関連情報を利用して第１のＰＵＣＣＨを送信することができる。
【００７７】
同様、端末デバイスが第２のＰＤＳＣＨに対してＡＣＫ/ＮＡＣＫフィードバックを行う時に、第２のＰＵＣＣＨを利用して第２のＰＤＳＣＨのＡＣＫ/ＮＡＣＫフィードバック情報を搬送する。第２のＰＵＣＣＨを送信する時に、端末デバイスが第２のＰＤＳＣＨのＴＣＩ状態に基づいて第２のＰＵＣＣＨの空間関連情報を決定してから、該第２のＰＵＣＣＨの空間関連情報を利用して第２のＰＵＣＣＨを送信する。
【００７８】
任意選択で、端末デバイスがネットワークデバイスからの複数のＰＤＳＣＨを受信した後、以上のように、各ＰＤＳＣＨをフィードバックする時に、１つの独立するＰＵＣＣＨを利用してＡＣＫ/ＮＡＣＫフィードバックを行い、また、複数のＰＤＳＣＨのＡＣＫ/ＮＡＣＫフィードバック情報を１つのＰＵＣＣＨに搬送してフィードバックしてもよい。
【００７９】
端末デバイスが異なるビームを利用して複数のＰＤＳＣＨを受信し、該複数のＰＤＳＣＨに対して、端末デバイスが該複数のＰＤＳＣＨのうちの少なくとも２つのＰＤＳＣＨのＡＣＫ/ＮＡＣＫフィードバック情報を１つのＰＵＣＣＨに搬送してから、ネットワークデバイスに該ＰＵＣＣＨを送信しても良い。
【００８０】
ステップ２２０は、さらに、端末デバイスが複数の下り信号のうちの少なくとも１つの下り信号のＴＣＩ状態に基づいて下り信号に対応する上り信号の空間関連情報を決定することを含む。つまり、端末デバイスが複数のＰＤＣＳＨの少なくとも１つのＰＤＳＣＨのＴＣＩ状態に基づいてＰＵＣＣＨの空間関連情報を決定することができる。
【００８１】
好ましくは、ＰＵＣＣＨに使用される空間関連情報は、該複数のＰＤＳＣＨの最後受信したＰＤＳＣＨのＴＣＩ状態に基づいて決定される。
【００８２】
ネットワークデバイスが異なるビームを利用して端末デバイスに第１のＰＤＳＣＨ及び第２のＰＤＳＣＨを送信し、端末デバイスが該第１のＰＤＳＣＨ及び第２のＰＤＳＣＨに対してＡＣＫ/ＮＡＣＫフィードバックを行う時に、該２つのＡＣＫ/ＮＡＣＫフィードバック情報を１つのＰＵＣＣＨに搬送してネットワークデバイスに送信しても良い。該ＰＵＣＣＨに使用される空間関連情報は、第１のＰＤＳＣＨのＴＣＩ状態に基づいて決定されても良いし、第２のＰＤＳＣＨのＴＣＩ状態に基づいて決定されてもよい。
【００８３】
端末デバイスの第２のＰＤＳＣＨの受信時間が第１のＰＤＳＣＨよりも遅い場合、端末デバイスが第２のＰＤＳＣＨのＴＣＩ状態に基づいて決定された空間関連情報を優先的に利用して該ＰＵＣＣＨを送信しても良い。
【００８４】
任意選択で、複数のＰＤＳＣＨのＴＣＩ状態が同じである場合、端末デバイスは、該複数のＰＤＳＣＨのＡＣＫ/ＮＡＣＫフィードバック情報を１つのＰＵＣＣＨに搬送し、該ＰＵＣＣＨをネットワークデバイスに送信しても良い。端末デバイスが該ＰＵＣＣＨを送信するために使用される空間関連情報は、該同じＴＣＩ状態に基づいて決定されても良い。
【００８５】
例として、ＰＤＳＣＨがＲＲＣシグナリングを搬送し、該ＲＲＣシグナリングがＣＳＩ報告を構成する。端末デバイスが該ＰＤＳＣＨを受信した後、ネットワークデバイスにＰＵＣＣＨを送信し、該ＰＵＣＣＨが構成されたＣＳＩ報告の情報を搬送する。この時、下り信号がＲＲＣシグナリングを搬送するＰＤＳＣＨであり、下り信号に対応する上り信号が対応するＣＳＩ報告を搬送するＰＵＣＣＨである。
【００８６】
ＲＲＣシグナリングは、さらに、ＣＳＩ報告の周期及び／又は報告方式等を構成しても良い。
【００８７】
端末デバイスがＲＲＣシグナリングにより構成されたＣＳＩの周期に従って、ネットワークデバイスに対してＣＳＩ報告を周期的に行い、及び／又は端末デバイスがＲＲＣシグナリングにより構成された報告方式でネットワークデバイスに対してＣＳＩ報告を行っても良い。
【００８８】
任意選択で、ＰＤＳＣＨに搬送されるＲＲＣシグナリングは、ＳＲＳを構成しても良い。端末デバイスが該ＰＤＳＣＨを受信した後、ネットワークデバイスにＳＲＳを周期的に送信することができる。この時、下り信号がＲＲＣシグナリングを搬送するＰＤＳＣＨであり、下り信号に対応する上り信号がＲＲＣシグナリングにより構成されたＳＲＳである。
【００８９】
ＲＲＣシグナリングは、さらに、ＳＲＳの周期、及び／又は送信方式等を構成しても良い。
【００９０】
端末デバイスがＲＲＣシグナリングにより構成されたＳＲＳの周期に従って、ネットワークデバイスにＳＲＳを周期的に送信し、及び／又は端末デバイスがＲＲＣシグナリングにより構成された送信方式でネットワークデバイスにＳＲＳを送信しても良い。
【００９１】
他の例として、ＰＤＳＣＨがＭＡＣシグナリングを搬送し、該ＭＡＣシグナリングがＣＳＩ報告を活性化するために使用される。端末デバイスが該ＰＤＳＣＨを受信した後、ネットワークデバイスにＰＵＣＣＨを送信し、該ＰＵＣＣＨが活性化されたＣＳＩ報告の情報を搬送する。この時、下り信号がＭＡＣシグナリングを搬送するＰＤＳＣＨであり、下り信号に対応する上り信号がＣＳＩ報告を搬送するＰＵＣＣＨである。
【００９２】
任意選択で、ＰＤＳＣＨに搬送されるＭＡＣシグナリングは、さらに、ＳＲＳを活性化するために使用される。端末デバイスが該ＰＤＳＣＨを受信した後、ネットワークデバイスにＳＲＳを送信する。この時、下り信号がＭＡＣシグナリングを搬送するＰＤＳＣＨであり、下り信号に対応する上り信号がＭＡＣシグナリングにより活性化されたＳＲＳである。
【００９３】
下り信号がＰＤＣＣＨである場合、該下り信号に対応する上り信号は、ＰＵＳＣＨ、ＰＵＣＣＨ及び／又はＳＲＳである。
【００９４】
任意選択で、該ＰＤＣＣＨがＤＣＩを搬送するために使用される。
【００９５】
該ＤＣＩがデータ伝送をスケジューリングするために使用され、該データ伝送がＰＵＳＣＨに搬送される。この時、下り信号ＰＤＣＣＨに対応する上り信号は、データ伝送を搬送するＰＵＳＣＨである。
【００９６】
該ＤＣＩがＣＳＩ報告をトリガーするために使用され、端末デバイスが測定したＣＳＩがＰＵＳＣＨに搬送されても良いし、ＰＵＣＣＨに搬送されても良い。この時、下り信号ＰＤＣＣＨに対応する上り信号は、ＣＳＩ報告を搬送するＰＵＳＣＨ又はＰＵＣＣＨである。
【００９７】
該ＤＣＩがＳＲＳをトリガーするために使用され、端末デバイスが該ＤＣＩに基づいてネットワークデバイスにＳＲＳを送信することができる。この時、下り信号ＰＤＣＣＨに対応する上り信号は、ＤＣＩによりトリガーされたＳＲＳである。
【００９８】
下り信号がＣＳＩ−ＲＳである場合、下り信号に対応する上り信号は、ＰＵＳＣＨ、ＰＵＣＣＨ又はＳＲＳである。
【００９９】
端末デバイスは、ＣＳＩ−ＲＳに基づいてＣＳＩを測定し、測定されたＣＳＩをＰＵＳＣＨ又はＰＵＣＣＨに搬送する。この時、下り信号ＣＳＩ−ＲＳに対応する上り信号は、ＣＳＩを搬送するＰＵＳＣＨ又はＰＵＣＣＨである。
【０１００】
下り信号がＣＳＩ−ＲＳである場合、下り信号に対応する上り信号がＳＲＳであっても良く、ここで、ＳＲＳのプリコーディングベクトルは、ＣＳＩ−ＲＳから測定されたチャネル情報に基づいて決定される。
【０１０１】
任意選択で、端末デバイスがＳＲＳを送信する前に、予め設定された少なくとも１つのＣＳＩ−ＲＳと少なくとも１つのＳＲＳとの対応関係に基づいて、ネットワークデバイスに送信するＳＲＳを選択することができる。
【０１０２】
少なくとも１つのＣＳＩ−ＲＳと少なくとも１つのＳＲＳとの対応関係は、ＣＳＩ−ＲＳのＣＳＩ−ＲＳリソースの送信とＳＲＳのＳＲＳリソースの送信との対応である。例えば、ネットワークデバイスは、上位層シグナリングを介して異なるＳＲＳリソースのために異なるＣＳＩ−ＲＳリソースを構成して、該ＳＲＳリソースのプリコーディングベクトルを取得する。
【０１０３】
ネットワークデバイスは、各下り信号のために対応するＴＣＩ状態を構成し、下り信号のＴＣＩ状態にＣＳＩ−ＲＳリソースインデックス、ＳＳＢインデックス、位相追跡参照信号（ｐｈａｓｅ ｔｒａｃｋｉｎｇ ｒｅｆｅｒｅｎｃｅ ｓｉｇｎａｌｓ、ＰＴＲＳ）ポートのうちの少なくとも１つが含まれる。端末デバイスが下り信号の少なくとも１つのＴＣＩ状態に基づいて下り信号に対応する上り信号の空間関連情報を決定することは、端末デバイスが下り信号の少なくとも１つのＴＣＩ状態に含まれるＣＳＩ−ＲＳリソースインデックス、ＳＳＢインデックス、下り信号に対応するＰＴＲＳポートのうちの少なくとも１つに基づいて、下り信号に対応する上り信号の空間関連情報を決定することを含む。
【０１０４】
具体的に、端末デバイスは、下り信号の少なくとも１つのＴＣＩ状態に含まれるＣＳＩ−ＲＳリソースインデックス、ＳＳＢインデックス及び／又はＰＴＲＳポートを、前記下り信号に対応する上り信号の空間関連情報としても良い。
【０１０５】
なお、下り信号の少なくとも１つのＴＣＩ状態の各ＴＣＩ状態にＣＳＩ−ＲＳリソースインデックス、ＳＳＢインデックス、ＰＴＲＳポートのうちの少なくとも１つが含まれる。
【０１０６】
任意選択で、該下り信号に対応する上り信号の空間関連情報は、下り信号に対応する上り信号の送信に使用されるビーム又はアンテナパネルを示す。
【０１０７】
具体的に、端末デバイスが下り信号に対応する上り信号を送信するために使用されるビームは、端末デバイスが受信する前記空間関連情報に含まれる下り信号に使用されるビームであっても良い。
【０１０８】
なお、該空間関連情報に含まれる下り信号は、ＣＳＩ−ＲＳ又はＳＳＢであっても良い。
【０１０９】
例えば、端末デバイスが下り信号に対応する上り信号を送信するために使用されるビーム、ＴＣＩ状態のうちのＣＳＩ−ＲＳリソースインデックスが示すＣＳＩ−ＲＳリソースの受信に使用されるビームと同じであっても良い。端末デバイスは、ＣＳＩ−ＲＳリソースインデックスに対応するＣＳＩ−ＲＳリソースの受信するに使用されるビームを、下り信号に対応する上り信号に使用されるビームとして決定する。
【０１１０】
また、例えば、端末デバイスが下り信号に対応する上り信号を送信するために使用されるビームは、ＴＣＩ状態のうちのＳＳＢインデックスが示すＳＳＢに使用されるビームと同じであっても良い。端末デバイスは、ＳＳＢインデックスに対応するＳＳＢの受信に使用されるビームを、下り信号に対応する上り信号に使用されるビームとして決定する。
【０１１１】
また、例えば、端末デバイスが下り信号に対応する上り信号を送信するために使用されるビームは、ＴＣＩ状態に含まれるＰＴＲＳポートに対応するビームと同じであっても良い。
【０１１２】
任意選択で、該下り信号のＴＣＩ状態に前記下り信号に対応するＰＴＲＳポートが含まれる。空間関連情報は、下り信号に対応する上り信号の送信に使用されるビームであっても良い。
【０１１３】
端末デバイスは、少なくとも１つのビームを決定し、下り信号に対応するＰＴＲＳポートに基づいて、前記少なくとも１つのビームから該ＰＴＲＳポートに対応するビームを選択し、次に、該ビームと下り信号に対応する上り信号の送信に使用されるビームとして決定することができる。
【０１１４】
具体的に、端末デバイスは、ＰＴＲＳポート、及び少なくとも１つのビームと少なくとも１つのＰＴＲＳポートとの対応関係に基づいて、ＰＴＲＳポートに対応するビームを決定する。ここで、該少なくとも１つのビームと少なくとも１つのＰＴＲＳポートとの対応関係は、ネットワークデバイスにより上位層シグナリングを介して構成され、又は、端末が自分で決定される。
【０１１５】
例えば、端末デバイスが２つの下りＰＴＲＳポートをサポートし、各ＰＴＲＳポートが１つのビームグループに対応し、異なるＰＴＲＳポートが異なるビームグループに対応し、端末デバイスは、前記ＰＴＲＳポートに基づいて、対応するビームグループからビームを選択して前記下り信号に対応する上り信号を送信することができる。
【０１１６】
端末デバイスが下り信号に対応する上り信号を送信するために使用されるアンテナパネルは、端末デバイスが受信する前記空間関連情報に含まれる下り信号に使用されるアンテナパネルであっても良い。
【０１１７】
例えば、端末デバイスが下り信号に対応する上り信号を送信するために使用されるアンテナパネルは、ＴＣＩ状態のうちのＣＳＩ−ＲＳリソースインデックスが示すＣＳＩ−ＲＳリソースの受信に使用されるアンテナパネルと同じであっても良い。端末デバイスは、ＣＳＩ−ＲＳリソースインデックスに対応するＣＳＩ−ＲＳリソースの受信に使用されるアンテナパネルを、下り信号に対応する上り信号に使用されるアンテナパネルとして決定する。
【０１１８】
また、例えば、端末デバイスが下り信号に対応する上り信号を送信するために使用されるアンテナパネルは、ＴＣＩ状態のうちのＳＳＢインデックスが示すＳＳＢに使用されるアンテナパネルと同じであっても良い。端末デバイスは、ＳＳＢインデックスに対応するＳＳＢの受信に使用されるアンテナパネルを、下り信号に対応する上り信号に使用されるアンテナパネルとして決定する。
【０１１９】
また、例えば、端末デバイスが下り信号に対応する上り信号を送信するために使用されるアンテナパネルは、ＴＣＩ状態に含まれるＰＴＲＳポートに対応するアンテナパネルと同じであっても良い。
【０１２０】
端末デバイスは、少なくとも１つのアンテナパネルを含み、下り信号に対応するＰＴＲＳポートに基づいて、少なくとも１つのアンテナパネルから該ＰＴＲＳポートに対応するアンテナパネルを下り信号に対応する上り信号に送信に使用されるアンテナパネルとして選択することができる。
【０１２１】
具体的に、端末デバイスは、ＰＴＲＳポート、及び少なくとも１つのアンテナパネルと少なくとも１つのＰＴＲＳポートとの対応関係に基づいて、ＰＴＲＳポートに対応するアンテナパネルを決定することができる。ここで、該少なくとも１つのアンテナパネルと少なくとも１つのＰＴＲＳポートとの対応関係は、ネットワークデバイスにより上位層シグナリングを介して構成され、又は、端末デバイスが自分で決定される。
【０１２２】
例えば、端末が２つの下りＰＴＲＳポートをサポートし、各ＰＴＲＳポートが１つのアンテナパネルに対応し、異なるＰＴＲＳポートが異なるアンテナパネルに対応し、端末は、前記ＰＴＲＳポートに基づいて、対応するアンテナパネルにおいて前記下り信号に対応する上り信号を送信することができる。
【０１２３】
なお、該少なくとも１つのアンテナパネルと少なくとも１つのＰＴＲＳポートの対応関係においてアンテナパネルは、端末デバイスのアンテナパネルである。
【０１２４】
本願の実施例に係る技術案において、端末デバイスが下り信号を受信し及び上り信号を送信するために使用されるビーム及び/又はアンテナパネルは、下り信号のＴＣＩ状態に基づいて決定され、端末デバイスが下り信号を受信するために使用されるビーム及び/又はアンテナパネルと下り信号に対応する上り信号を送信するために使用されるビーム及び/又はアンテナパネルとが同じであるため、上り下り伝送で同じ方向のビーム又はアンテナパネルを使用することを保証し、端末デバイスの上り下り伝送の確実性を保証する。
【０１２５】
同様、ネットワークデバイスが下り信号に対応する上り信号を決定するために使用されるビーム又はアンテナパネルは、以上のように、端末デバイスが下り信号に対応する上り信号を決定するために使用されるビーム又はアンテナパネルを参照する。
【０１２６】
任意選択で、下り信号の少なくとも１つのＴＣＩ状態のうちの各ＴＣＩ状態は、ＣＳＩ−ＲＳリソースインデックス、ＳＳＢインデックス及び下り信号に対応するＰＴＲＳポートのうちの少なくとも１つを含み、空間関連情報は、前記下り信号に対応する上り信号の受信に使用されるビーム又はアンテナパネルであり、ネットワークデバイスが、下り信号の少なくとも１つのＴＣＩ状態に基づいて下り信号に対応する上り信号の空間関連情報を決定することは、
ネットワークデバイスが、ＣＳＩ−ＲＳリソースインデックスに対応するＣＳＩ−ＲＳリソースの送信に使用されるビームを、下り信号に対応する上り信号の受信に使用されるビームとして決定し、及び／又は、
ネットワークデバイスがＣＳＩ−ＲＳリソースインデックスに対応するＣＳＩ−ＲＳリソースの送信に使用されるアンテナパネルを、下り信号に対応する上り信号の受信に使用されるアンテナパネルとして決定し、及び／又は、
ネットワークデバイスがＳＳＢインデックスに対応するＳＳＢの送信に使用されるビームを、下り信号に対応する上り信号の送信に使用されるビームとして決定し、及び／又は、
ネットワークデバイスがＳＳＢインデックスに対応するＳＳＢの送信に使用されるアンテナパネルを、下り信号に対応する上り信号の送信に使用されるアンテナパネルとして決定する。
【０１２７】
ネットワークデバイスが、下り信号に対応するＰＴＲＳポートに基づいて、少なくとも１つのビームからＰＴＲＳポートに対応するビームを前記下り信号に対応する上り信号の受信に使用されるビームとして選択し、及び／又は、
ネットワークデバイスが、下り信号に対応するＰＴＲＳポートに基づいて、少なくとも１つのアンテナパネルからＰＴＲＳポートに対応するアンテナパネルを下り信号に対応する上り信号の受信に使用されるアンテナパネルとして選択することができる。
【０１２８】
具体的に、ネットワークデバイスが、前記下り信号に対応するＰＴＲＳポート及び少なくとも１つのビームと少なくとも１つのＰＴＲＳポートとの対応関係に基づいて、前記ＰＴＲＳポートに対応するビームを決定し、及び／又は、
ネットワークデバイスが下り信号に対応するＰＴＲＳポート、及び少なくとも１つのアンテナパネルと少なくとも１つのＰＴＲＳポートとの対応関係に基づいて、前記ＰＴＲＳポートに対応するアンテナパネルを決定することができる。
【０１２９】
なお、少なくとも１つのアンテナパネルと少なくとも１つのＰＴＲＳポートとの対応関係のアンテナパネルは、ネットワークデバイスのアンテナパネルである。
【０１３０】
任意選択で、端末デバイスが下り信号の少なくとも１つのＴＣＩ状態に基づいて下り信号に対応する上り信号の空間関連情報を決定することは、端末デバイスが下り信号の少なくとも１つのＴＣＩ状態のうちの第１のＴＣＩ状態に基づいて下り信号に対応する上り信号の空間関連情報を決定することを含む。
【０１３１】
ここで、該第１のＴＣＩ状態は、少なくとも１つのＴＣＩ状態のうちの１番目のＴＣＩ状態、少なくとも１つのＴＣＩ状態のうちの２番目のＴＣＩ状態、少なくとも１つのＴＣＩ状態のうちのＳＳＢインデックスを含むＴＣＩ状態、少なくとも１つのＴＣＩ状態のうちの１番目の復調参照信号（ｄｅｍｏｄｕｌａｔｉｏｎ ｒｅｆｅｒｅｎｃｅ ｓｉｇｎａｌ、ＤＭＲＳ）ポートグループに対応するＴＣＩ状態、少なくとも１つのＴＣＩ状態のうちの２番目のＤＭＲＳポートグループに対応するＴＣＩ状態、少なくとも１つのＴＣＩ状態のうちの１番目のＰＴＲＳポートを含むＴＣＩ状態、及び少なくとも１つのＴＣＩ状態のうちの２番目のＰＴＲＳポートを含むＴＣＩ状態のいずれか１つである。
【０１３２】
任意選択で、該第１のＴＣＩ状態は、端末デバイスとネットワークデバイスとが合意され、又は、プロトコルにより規定される。
【０１３３】
任意選択で、端末デバイスは、該少なくとも１つのＴＣＩ状態から第１のＴＣＩ状態を選択し、選択された第１のＴＣＩ状態に基づいて下り信号に対応する上り信号の空間関連情報を決定することができる。
【０１３４】
任意選択で、いくつかの実施例において、１つの下り信号は、複数のＴＲＰ又は複数のアンテナパネルで送信される。例えば、下り信号がＰＤＳＣＨである場合、ＰＤＳＣＨに搬送されるデータは、複数のＴＲＰ又は複数のアンテナパネルにより送信され、該下り信号ＰＤＳＣＨが複数のＴＣＩ状態を含む。
【０１３５】
端末デバイスは、該ＰＤＳＣＨに対応する上り信号を送信する時に、その中の１つのＴＲＰ又はアンテナパネルに送信すればよい。この時、端末デバイスは、下り信号の複数のＴＣＩ状態のうちの第１のＴＣＩ状態に基づいて下り信号に対応する上り信号の空間関連情報を決定することができる。
【０１３６】
任意選択で、少なくとも１つのＴＣＩ状態のうちのネットワークデバイスが最初指示するＴＣＩ状態は、１番目のＴＣＩ状態であり、ネットワークデバイスが２番目に指示するＴＣＩ状態は、２番目のＴＣＩ状態である。
【０１３７】
例えば、ネットワークデバイスが１つの下りシグナリングに２つのＴＣＩ状態を示し、該２つのＴＣＩ状態のうちのビットが前であるＴＣＩ状態を１番目のＴＣＩ状態として理解されても良く、ビットが後であるＴＣＩ状態を２番目のＴＣＩ状態として理解されても良い。
【０１３８】
任意選択で、第１のＴＣＩ状態は、少なくとも１つのＴＣＩ状態のうちのＳＳＢインデックスを含むＴＣＩ状態、又は、少なくとも１つのＴＣＩ状態のうちのＣＳＩ−ＲＳリソースインデックスを含むＴＣＩ状態、又は、少なくとも１つのＴＣＩ状態のうちの下り信号のＰＴＲＳポートを含むＴＣＩ状態であっても良い。
【０１３９】
任意選択で、端末デバイスは、少なくとも１つのＴＣＩ状態のうちの任意のＤＭＲＳポートグループに対応するＴＣＩ状態に基づいて、下り信号に対応する上り信号の空間関連情報を決定することができる。
【０１４０】
例えば、端末デバイスは、少なくとも１つのＴＣＩ状態のうちの１番目のＤＭＲＳポートグループに対応するＴＣＩ状態に基づいて、下り信号に対応する上り信号の空間関連情報を決定することができる。又は、端末デバイスは、少なくとも１つのＴＣＩ状態のうちの２番目のＤＭＲＳポートグループに対応するＴＣＩ状態に基づいて、下り信号に対応する上り信号の空間関連情報を決定することができる。
【０１４１】
任意選択で、少なくとも１つのＴＣＩ状態のうちの各ＴＣＩ状態が１つのＤＭＲＳポートグループに対応し、ネットワークデバイスは、各ポートグループのシグナリング（例えばＲＲＣシグナリング）を構成する時に、各ＤＭＲＳポートグループに対応するＴＣＩ状態を構成することができる。
【０１４２】
又は、端末デバイスがＮ個のＤＭＲＳポートグループを構成した場合、ネットワークデバイスがＤＣＩにおいてＮ個のＴＣＩ状態を示し、ここで、Ｎ個のＤＭＲＳポートグループとＮ個のＴＣＩ状態とが一対一対応する。ここで、Ｎが正の整数である。
【０１４３】
ここで、ＤＭＲＳポートグループの順番は、ＤＭＲＳポートグループの番号として理解されても良い。
【０１４４】
任意選択で、第１のＴＣＩ状態は、少なくとも１つのＴＣＩ状態に含まれる任意のＰＴＲＳポートのＴＣＩ状態である。例えば、第１のＴＣＩ状態は、少なくとも１つのＴＣＩ状態のうちの１番目のＰＴＲＳポートを含むＴＣＩ状態、又は、第１のＴＣＩ状態は、少なくとも１つのＴＣＩ状態のうちの２番目のＰＴＲＳポートを含むＴＣＩ状態である。
【０１４５】
ここで、ＰＴＲＳポートの順番は、ＰＴＲＳポートの番号として理解されても良い。
【０１４６】
任意選択で、該第１のＴＣＩに対応するＴＲＰ又はアンテナパネルは、ネットワークデバイスが下り信号のＴＣＩ状態を搬送するＤＣＩを送信するために使用されるＴＲＰ又はアンテナパネルであっても良い。
【０１４７】
任意選択で、ネットワークデバイスは、下り信号に対応する上り信号のために空間関連情報を構成しても良い。
【０１４８】
ネットワークデバイスが下り信号に対応する上り信号のために空間関連情報を構成する場合、端末デバイスは、ネットワークデバイスにより構成された空間関連情報を利用して下り信号に対応する上り信号を送信しても良いし、上記の方法により決定された空間関連情報を利用して下り信号に対応する上り信号を送信しても良い。
【０１４９】
一実施例として、ネットワークデバイスが空間関連情報を構成した場合、端末デバイスは、ネットワークデバイスにより構成された空間関連情報を利用して下り信号に対応する上り信号を送信する。ネットワークデバイスが空間関連情報を構成しない場合、端末デバイスは、上記の方法により決定された空間関連情報を利用して下り信号に対応する上り信号を送信する。
【０１５０】
他の実施例として、ネットワークデバイスが上り信号の空間関連情報を構成するかに関わらず、端末デバイスは、上記の方法により決定された空間関連情報を利用して下り信号に対応する上り信号を送信する。
【０１５１】
端末デバイスは、ネットワークデバイスに下り信号に対応する上り信号を送信する前に、ビーム対応性が成立するかどうかを決定する。
【０１５２】
ビーム対応性は、端末デバイスがある方向のビームを利用して下り信号を受信した後、該方向のビームを利用して上り信号を送信することができる場合、ビーム対応性が成立することを示し、そうでない場合、ビーム対応性が成立しない。
【０１５３】
該ビーム対応性が成立する場合、ネットワークデバイスが上り信号の空間関連情報を構成しても、端末デバイスは、上記の方法により決定された空間関連情報を利用して下り信号に対応する上り信号を送信しても良い。
【０１５４】
ビーム対応性が成立しない場合、端末デバイスは、ネットワークデバイスにより構成された空間関連情報を優先的に利用して下り信号に対応する上り信号を送信する。
【０１５５】
任意選択で、ビーム対応性が端末デバイスの能力情報であっても良く、端末デバイスがビーム対応性が成立するかどうかをネットワークデバイスに報告することができる。ネットワークデバイスが端末デバイスからのビーム対応性が成立するというメッセージを受信した後、端末デバイスに上り信号の空間関連情報を構成しなくても良い。この時、端末デバイスが下り信号に対応する上り信号を送信するために使用される空間関連情報は、上記の方法により決定されても良い。
【０１５６】
ネットワークデバイスが端末デバイスからのビーム対応性が成立しないというメッセージを受信した後、ネットワークデバイスが端末デバイスに上り信号の空間関連情報を構成しても良い。この時、端末デバイスは、ネットワークデバイスにより構成された空間関連情報を利用して下り信号に対応する上り信号を送信することができる。
【０１５７】
任意選択で、端末デバイスがネットワークデバイスにビーム対応性が成立するかどうかを報告しなくても良く、ネットワークデバイスは、各上り信号に空間関連情報を構成する。この時、端末デバイスは、ビーム対応性が成立するかどうかに基づいて下り信号に対応する上り信号の送信に使用される空間関連情報を選択することができる。
【０１５８】
例えば、ビーム対応性が成立する場合、端末デバイスは、上記の方法により決定された空間関連情報を利用して下り信号に対応する上り信号を送信することができる。ビーム対応性が成立しない場合、端末デバイスは、ネットワークデバイスにより構成された空間関連情報を利用して下り信号に対応する上り信号を送信することができる。
【０１５９】
任意選択で、端末デバイスが前記下り信号の少なくとも１つのＴＣＩ状態に基づいて前記下り信号に対応する上り信号の空間関連情報を決定する前に、図２の方法は、さらに、
端末デバイスが構成された下り信号のＲＲＣシグナリングに基づいて、該下り信号のＭＡＣシグナリングを活性化し又は該下り信号のＤＣＩをトリガーし、該下り信号のＴＣＩ状態を決定する。
【０１６０】
図４は本願の実施例における端末デバイス４００のブロック図である。図４に示すように、該端末デバイス４００は、通信ユニット４１０及び処理ユニット４２０を含む。
【０１６１】
通信ユニット４１０は、ネットワークデバイスにより送信された下り信号を受信するように構成される。
【０１６２】
処理ユニット４２０は、前記下り信号の少なくとも１つのＴＣＩ状態に基づいて前記下り信号に対応する上り信号の空間関連情報を決定するように構成される。
【０１６３】
通信ユニット４１０は、さらに、前記空間関連情報を利用して前記ネットワークデバイスに前記下り信号に対応する上り信号を送信するように構成される。
【０１６４】
任意選択で、前記下り信号が物理下り共有チャネルＰＤＳＣＨ、物理下り制御チャネルＰＤＣＣＨ及びチャネル状態情報参照信号ＣＳＩ−ＲＳのうちの少なくとも１つを含み、下り信号に対応する上り信号が、物理上り共有チャネルＰＵＳＣＨ、物理上り制御チャネルＰＵＣＣＨ及びサウンディング参照信号ＳＲＳのうちの少なくとも１つを含む。
【０１６５】
任意選択で、前記下り信号がＰＤＳＣＨであり、前記下り信号に対応する上り信号が物理上り制御チャネルＰＵＣＣＨ又はサウンディング参照信号ＳＲＳである。
【０１６６】
任意選択で、前記下り信号がＰＤＳＣＨであり、前記下り信号に対応する上り信号がＰＵＣＣＨであり、前記ＰＵＣＣＨが前記ＰＤＳＣＨの応答ＡＣＫ／否定応答ＮＡＣＫ情報を搬送するために使用される。
【０１６７】
任意選択で、前記ＰＵＣＣＨが複数のＰＤＳＣＨのＡＣＫ/ＮＡＣＫ情報を搬送するために使用され、
任意選択で、処理ユニット４２０は、具体的に、前記複数のＰＤＳＣＨのうちの少なくとも１つのＰＤＳＣＨのＴＣＩ状態に基づいて、前記ＰＵＣＣＨの空間関連情報を決定するように構成される。
【０１６８】
任意選択で、処理ユニット４２０は、具体的に、前記複数のＰＤＳＣＨのうちの最後受信したＰＤＳＣＨのＴＣＩ状態に基づいて、前記ＰＵＣＣＨの空間関連情報を決定するように構成される。
【０１６９】
任意選択で、前記ＰＵＣＣＨが複数のＰＤＳＣＨのＡＣＫ/ＮＡＣＫ情報を搬送するために使用され、前記複数のＰＤＳＣＨのＴＣＩ状態が同じであり、前記処理ユニット４２０は、具体的に、同じ前記ＴＣＩ状態に基づいて、前記ＰＵＣＣＨの空間関連情報を決定するように構成される。
【０１７０】
任意選択で、前記下り信号が無線リソース制御ＲＲＣシグナリングを搬送するＰＤＳＣＨであり、前記ＲＲＣシグナリングがチャネル状態情報ＣＳＩ報告を構成するために使用され、前記下り信号に対応する上り信号が前記ＣＳＩ報告を搬送するＰＵＣＣＨである。
【０１７１】
任意選択で、前記下り信号が無線リソース制御ＲＲＣシグナリングを搬送するＰＤＳＣＨであり、前記ＲＲＣシグナリングがサウンディング参照信号ＳＲＳを構成するために使用され、前記下り信号に対応する上り信号が構成された前記ＳＲＳである。
【０１７２】
任意選択で、前記下り信号が媒体アクセス制御ＭＡＣシグナリングを搬送するＰＤＳＣＨであり、前記ＭＡＣシグナリングがＣＳＩ報告を活性化するために使用され、前記下り信号に対応する上り信号がＣＳＩ報告を搬送するＰＵＣＣＨである。
【０１７３】
任意選択で、前記下り信号がＭＡＣシグナリングを搬送するＰＤＳＣＨであり、前記ＭＡＣシグナリングがＳＲＳ信号を活性化するために使用され、前記下り信号に対応する上り信号が活性化された前記ＳＲＳ信号である。
【０１７４】
任意選択で、前記下り信号がＰＤＣＣＨであり、前記下り信号に対応する上り信号が物理上り共有チャネルＰＵＳＣＨ、ＰＵＣＣＨ又はＳＲＳである。
【０１７５】
任意選択で、前記下り信号が下り制御シグナリングＤＣＩを搬送するＰＤＣＣＨであり、前記下り信号に対応する上り信号がＰＵＳＣＨであり、前記ＰＵＳＣＨが前記ＤＣＩによりスケジューリングされたデータ又は前記ＤＣＩによりトリガーされたＣＳＩ報告を搬送するために使用される。
【０１７６】
任意選択で、前記下り信号がＤＣＩを搬送するＰＤＣＣＨであり、前記下り信号に対応する上り信号がＰＵＣＣＨであり、前記ＰＵＣＣＨがＤＣＩによりトリガーされたＣＳＩ報告を搬送する。
【０１７７】
任意選択で、前記下り信号がＤＣＩを搬送するＰＤＣＣＨであり、前記下り信号に対応する上り信号が前記ＤＣＩによりトリガーされたＳＲＳである。
【０１７８】
任意選択で、前記下り信号がＣＳＩ−ＲＳであり、前記下り信号に対応する上り信号がＰＵＳＣＨ、ＰＵＣＣＨ又はＳＲＳである。
【０１７９】
任意選択で、前記下り信号がＣＳＩ−ＲＳであり、前記下り信号に対応する上り信号がＰＵＳＣＨであり、前記ＰＵＳＣＨは、前記ＣＳＩ−ＲＳに基づいて測定されたＣＳＩを搬送する。
【０１８０】
任意選択で、前記下り信号がＣＳＩ−ＲＳであり、前記下り信号に対応する上り信号がＰＵＣＣＨ又はＰＵＣＣＨであり、前記ＰＵＣＣＨ又はＰＵＣＣＨは、前記ＣＳＩ−ＲＳに基づいて測定されたＣＳＩを搬送する。
【０１８１】
任意選択で、前記下り信号がＣＳＩ−ＲＳであり、前記下り信号に対応する上り信号がＳＲＳであり、前記ＳＲＳのプリコーディングベクトルが前記ＣＳＩ−ＲＳに基づいて決定される。
【０１８２】
任意選択で、前記下り信号の少なくとも１つのＴＣＩ状態にＣＳＩ−ＲＳのリソースインデックスが含まれ、前記空間関連情報が前記下り信号に対応する上り信号の送信に使用されるビーム又はアンテナパネルであり、前記処理ユニット４２０は、具体的に、前記ＣＳＩ−ＲＳリソースインデックスに対応するＣＳＩ−ＲＳリソースに対応するＳＳＢの受信に使用されるビームを、前記下り信号に対応する上り信号の送信に使用されるビームとして決定し、及び／又は、前記ＣＳＩ−ＲＳリソースインデックスに対応するＣＳＩ−ＲＳリソースの受信に使用されるアンテナパネルを、前記下り信号に対応する上り信号の送信に使用されるアンテナパネルとして決定するように構成される。
【０１８３】
任意選択で、前記下り信号の少なくとも１つのＴＣＩ状態に同期信号ブロックＳＳＢインデックスが含まれ、前記空間関連情報が前記下り信号に対応する上り信号の送信に使用されるビーム又はアンテナパネルであり、前記処理ユニット４２０は、具体的に、前記ＳＳＢインデックスに対応するＳＳＢの受信に使用されるビームを前記下り信号に対応する上り信号の送信に使用されるビームとして決定し、及び／又は、前記ＳＳＢインデックスに対応するＳＳＢの受信に使用されるアンテナパネルを、前記下り信号に対応する上り信号の送信に使用されるアンテナパネルとして決定するように構成される。
【０１８４】
任意選択で、前記下り信号の少なくとも１つのＴＣＩ状態に前記下り信号に対応するＰＴＲＳポートが含まれ、前記空間関連情報が前記下り信号に対応する上り信号の送信に使用されるビーム又はアンテナパネルであり、前記処理ユニット４２０は、具体的に、
前記下り信号に対応するＰＴＲＳポートに基づいて、少なくとも１つのビームから前記ＰＴＲＳポートに対応するビームを前記下り信号に対応する上り信号の送信に使用されるビームとして選択し、及び／又は、及び／又は
前記下り信号に対応するＰＴＲＳポートに基づいて、少なくとも１つのアンテナパネルから前記ＰＴＲＳポートに対応するアンテナパネルを前記下り信号に対応する上り信号の送信に使用されるアンテナパネルとして選択するように構成される。
【０１８５】
任意選択で、前記処理ユニット４２０は、具体的に、
前記下り信号に対応するＰＴＲＳポート及び少なくとも１つのビームと少なくとも１つのＰＴＲＳポートとの対応関係に基づいて、前記ＰＴＲＳポートに対応するビームを決定し、ここで、前記少なくとも１つのビームと少なくとも１つのＰＴＲＳポートとの対応関係が、前記ネットワークデバイスが上位層シグナリングにより構成され、
又は、前記処理ユニット４２０は、具体的に、
前記下り信号に対応するＰＴＲＳポート及び少なくとも１つのアンテナパネルと少なくとも１つのＰＴＲＳポートとの対応関係に基づいて、前記ＰＴＲＳポートに対応するアンテナパネルを決定するように構成され、ここで、前記少なくとも１つのアンテナパネルと少なくとも１つのＰＴＲＳポートとの対応関係が、前記ネットワークデバイスが上位層シグナリングを介して構成される。
【０１８６】
任意選択で、前記処理ユニット４２０は、具体的に、前記少なくとも１つのＴＣＩ状態のうちの第１のＴＣＩ状態に基づいて、前記下り信号に対応する上り信号の空間関連情報を決定するように構成される。
【０１８７】
任意選択で、前記第１のＴＣＩ状態は、前記少なくとも１つのＴＣＩ状態のうちの１番目のＴＣＩ状態、前記少なくとも１つのＴＣＩ状態のうちの２番目のＴＣＩ状態、
前記少なくとも１つのＴＣＩ状態のうちのＳＳＢインデックスを含むＴＣＩ状態、前記少なくとも１つのＴＣＩ状態のうちの１番目の復調参照信号ＤＭＲＳポートグループに対応するＴＣＩ状態、前記少なくとも１つのＴＣＩ状態のうちの２番目のＤＭＲＳポートグループに対応するＴＣＩ状態、前記少なくとも１つのＴＣＩ状態のうちの１番目のＰＴＲＳポートを含むＴＣＩ状態、前記少なくとも１つのＴＣＩ状態のうちの２番目のＰＴＲＳポートを含むＴＣＩ状態のいずれか１つである。
【０１８８】
任意選択で、前記処理ユニット４２０は、さらに、前記端末デバイスの空間対応性が成立するかどうかを決定するように構成される。
【０１８９】
任意選択で、前記処理ユニット４２０は、さらに、前記下り信号を構成するＲＲＣシグナリングに基づいて、前記下り信号のＭＡＣシグナリングを活性化し又は前記下り信号のＤＣＩをトリガーし、前記下り信号の少なくとも１つのＴＣＩ状態を決定するように構成される。
【０１９０】
なお、この端末デバイス４００は、上記方法２００において端末デバイスにより実行される対応する操作を実行してもよく、簡潔にするために、ここでは説明を省略する。
【０１９１】
図５は本願の実施例に係るネットワークデバイス５００のブロック図である。図５に示すように、該ネットワークデバイス５００は、通信ユニット５１０及び処理ユニット５２０を含む。
【０１９２】
通信ユニット５１０は、端末デバイスに下り信号を送信するように構成される。
【０１９３】
処理ユニット５２０は、前記下り信号の少なくとも１つのＴＣＩ状態に基づいて前記下り信号に対応する上り信号の空間関連情報を決定するように構成される。
【０１９４】
通信ユニット５１０は、さらに、前記空間関連情報を利用して前記端末デバイスにより送信された下り信号に対応する上り信号を受信するように構成される。
【０１９５】
任意選択で、前記下り信号が物理下り共有チャネルＰＤＳＣＨ、物理下り制御チャネルＰＤＣＣＨ及びチャネル状態情報参照信号ＣＳＩ−ＲＳのうちの少なくとも１つを含み、下り信号に対応する上り信号が物理上り共有チャネルＰＵＳＣＨ、物理上り制御チャネルＰＵＣＣＨ及びサウンディング参照信号ＳＲＳのうちの少なくとも１つを含む。
【０１９６】
任意選択で、前記下り信号がＰＤＳＣＨであり、前記下り信号に対応する上り信号が物理上り制御チャネルＰＵＣＣＨ又はサウンディング参照信号ＳＲＳである。
【０１９７】
任意選択で、前記下り信号がＰＤＳＣＨであり、前記下り信号に対応する上り信号がＰＵＣＣＨであり、前記ＰＵＣＣＨが前記ＰＤＳＣＨの応答ＡＣＫ／否定応答ＮＡＣＫ情報を搬送するために使用される。
【０１９８】
任意選択で、前記ＰＵＣＣＨが複数のＰＤＳＣＨのＡＣＫ/ＮＡＣＫ情報を搬送するために使用され、前記処理ユニット５２０は、具体的に、前記複数のＰＤＳＣＨのうちの少なくとも１つのＰＤＳＣＨのＴＣＩ状態に基づいて、前記ＰＵＣＣＨの空間関連情報を決定するように構成される。
【０１９９】
任意選択で、前記処理ユニット５２０は、具体的に、前記複数のＰＤＳＣＨのうちの最後送信したＰＤＳＣＨのＴＣＩ状態に基づいて、前記ＰＵＣＣＨの空間関連情報を決定するように構成される。
【０２００】
任意選択で、前記下り信号が無線リソース制御ＲＲＣシグナリングを搬送するＰＤＳＣＨであり、前記ＲＲＣシグナリングがチャネル状態情報ＣＳＩ報告を構成するために使用され、前記下り信号に対応する上り信号が前記ＣＳＩ報告を搬送するＰＵＣＣＨである。
【０２０１】
任意選択で、前記下り信号が無線リソース制御ＲＲＣシグナリングを搬送するＰＤＳＣＨであり、前記ＲＲＣシグナリングがサウンディング参照信号ＳＲＳを構成するために使用され、前記下り信号に対応する上り信号が構成された前記ＳＲＳである。
【０２０２】
任意選択で、前記下り信号が無線リソース制御ＲＲＣシグナリングを搬送するＰＤＳＣＨであり、前記ＲＲＣシグナリングがサウンディング参照信号ＳＲＳを構成するために使用され、前記下り信号に対応する上り信号がＳＲＳである。
【０２０３】
任意選択で、前記下り信号が媒体アクセス制御ＭＡＣシグナリングを搬送するＰＤＳＣＨであり、前記ＭＡＣシグナリングがＣＳＩ報告を活性化するために使用され、前記下り信号に対応する上り信号がＣＳＩ報告を搬送するＰＵＣＣＨである。
【０２０４】
任意選択で、前記下り信号がＭＡＣシグナリングを搬送するＰＤＳＣＨであり、前記ＭＡＣシグナリングがＳＲＳ信号を活性化するために使用され、前記下り信号に対応する上り信号が活性化された前記ＳＲＳ信号である。
【０２０５】
任意選択で、前記下り信号がＰＤＣＣＨであり、前記下り信号に対応する上り信号が物理上り共有チャネルＰＵＳＣＨ、ＰＵＣＣＨ又はＳＲＳである。
【０２０６】
任意選択で、前記下り信号が下り制御シグナリングＤＣＩを搬送するＰＤＣＣＨであり、前記下り信号に対応する上り信号がＰＵＳＣＨであり、前記ＰＵＳＣＨが前記ＤＣＩによりスケジューリングされたデータ又は前記ＤＣＩによりトリガーされたＣＳＩ報告を搬送するために使用される。
【０２０７】
任意選択で、前記下り信号がＤＣＩを搬送するＰＤＣＣＨであり、前記下り信号に対応する上り信号がＰＵＣＣＨであり、前記ＰＵＣＣＨがＤＣＩによりトリガーされたＣＳＩ報告を搬送する。
【０２０８】
任意選択で、前記下り信号がＤＣＩを搬送するＰＤＣＣＨであり、前記下り信号に対応する上り信号が前記ＤＣＩによりトリガーされたＳＲＳである。
【０２０９】
任意選択で、前記下り信号がＣＳＩ−ＲＳであり、前記下り信号に対応する上り信号がＰＵＳＣＨ、ＰＵＣＣＨ又はＳＲＳである。
【０２１０】
任意選択で、前記下り信号がＣＳＩ−ＲＳであり、前記下り信号に対応する上り信号がＰＵＳＣＨ又はＰＵＣＣＨであり、前記ＰＵＳＣＨ又はＰＵＣＣＨが前記ＣＳＩ−ＲＳに基づいて測定されたＣＳＩを搬送するために使用される。
【０２１１】
任意選択で、前記下り信号がＣＳＩ−ＲＳであり、前記下り信号に対応する上り信号がＰＵＣＣＨであり、前記ＰＵＣＣＨは、前記ＣＳＩ−ＲＳに基づいて測定されたＣＳＩを搬送する。
【０２１２】
任意選択で、前記下り信号がＣＳＩ−ＲＳであり、前記下り信号に対応する上り信号がＳＲＳであり、前記ＳＲＳのプリコーディングベクトルが前記ＣＳＩ−ＲＳに基づいて決定される。
【０２１３】
任意選択で、前記下り信号の少なくとも１つのＴＣＩ状態にＣＳＩ−ＲＳのリソースインデックスが含まれ、前記空間関連情報は、前記下り信号に対応する上り信号の受信に使用されるビーム又はアンテナパネルであり、前記処理ユニット５２０は、具体的に、前記ＣＳＩ−ＲＳリソースインデックスに対応するＣＳＩ−ＲＳリソースに対応するＳＳＢの送信に使用されるビームを、前記下り信号に対応する上り信号の受信に使用されるビームとして決定し、及び／又は、前記ＣＳＩ−ＲＳリソースインデックスに対応するＣＳＩ−ＲＳリソースの送信に使用されるアンテナパネルを、前記下り信号に対応する上り信号の受信に使用されるアンテナパネルとして決定するように構成される。
【０２１４】
任意選択で、前記下り信号の少なくとも１つのＴＣＩ状態に同期信号ブロックＳＳＢインデックスが含まれ、前記空間関連情報は、前記下り信号に対応する上り信号の受信に使用されるビーム又はアンテナパネルであり、前記処理ユニット５２０は、具体的に、前記ＳＳＢインデックスに対応するＳＳＢの送信に使用されるビームを、前記下り信号に対応する上り信号の受信に使用されるビームとして決定し、及び／又は、前記ＳＳＢインデックスに対応するＳＳＢの送信に使用されるアンテナパネルを、前記下り信号に対応する上り信号の送信に使用されるアンテナパネルとして決定するように構成される。
【０２１５】
任意選択で、前記下り信号の少なくとも１つのＴＣＩ状態に前記下り信号に対応するＰＴＲＳポートが含まれ、前記空間関連情報が前記下り信号に対応する上り信号の送信に使用されるビーム又はアンテナパネルであり、処理ユニット５２０は、具体的に、
前記下り信号に対応するＰＴＲＳポートに基づいて、少なくとも１つのビームから前記ＰＴＲＳポートに対応するビームを、前記下り信号に対応する上り信号の受信に使用されるビームとして選択し、及び／又は、
前記下り信号に対応するＰＴＲＳポートに基づいて、少なくとも１つのアンテナパネルから前記ＰＴＲＳポートに対応するアンテナパネルを前記下り信号に対応する上り信号の受信に使用されるアンテナパネルとして選択するように構成される。
【０２１６】
任意選択で、処理ユニット５２０は、具体的に、
前記下り信号に対応するＰＴＲＳポート及び少なくとも１つのビームと少なくとも１つのＰＴＲＳポートとの対応関係に基づいて、前記ＰＴＲＳポートに対応するビームを決定し、
前記下り信号に対応するＰＴＲＳポート及び少なくとも１つのアンテナパネルと少なくとも１つのＰＴＲＳポートとの対応関係に基づいて、前記ＰＴＲＳポートに対応するアンテナパネルを決定するように構成される。
【０２１７】
任意選択で、前記処理ユニット５２０は、具体的に、前記少なくとも１つのＴＣＩ状態のうちの第１のＴＣＩ状態に基づいて、前記下り信号に対応する上り信号の空間関連情報を決定するように構成される。
【０２１８】
任意選択で、前記第１のＴＣＩ状態は、前記少なくとも１つのＴＣＩ状態のうちの１番目のＴＣＩ状態、前記少なくとも１つのＴＣＩ状態のうちの２番目のＴＣＩ状態、 
前記少なくとも１つのＴＣＩ状態のうちのＳＳＢインデックスを含むＴＣＩ状態、前記少なくとも１つのＴＣＩ状態のうちの１番目の復調参照信号ＤＭＲＳポートグループに対するＴＣＩ状態、前記少なくとも１つのＴＣＩ状態のうちの２番目のＤＭＲＳポートグループに対応するＴＣＩ状態、前記少なくとも１つのＴＣＩ状態のうちの１番目のＰＴＲＳポートを含むＴＣＩ状態、前記少なくとも１つのＴＣＩ状態のうちの２番目のＰＴＲＳポートを含むＴＣＩ状態のいずれか１つである。
【０２１９】
任意選択で、前記通信ユニット５１０は、さらに、前記端末デバイスにより送信された空間対応性成立のメッセージを受信するように構成される。
【０２２０】
なお、ネットワークデバイス５００は、上述の方法３００においてネットワークデバイスにより実行される対応する操作を実行してもよく、簡潔にするために、ここでは説明を省略する。
【０２２１】
図６は、本願の実施例で提供される通信デバイス６００の概略構成図である。図６に示す通信デバイス６００は、プロセッサ６１０を含み、プロセッサ６１０は、メモリからコンピュータプログラムを呼び出して実行することにより、本願の実施例における方法を実現することができる。
【０２２２】
任意選択で、図６に示されるように、通信デバイス６００は、メモリ６２０も含み得る。ここで、プロセッサ６１０は、メモリ６２０からコンピュータプログラムを呼び出して実行することにより、本願の実施例における方法を実現することができる。
【０２２３】
ここで、メモリ６２０は、プロセッサ６１０とは独立した一つの別個の部品であってもよいし、プロセッサ６１０に集積されてもよい。
【０２２４】
任意選択で、図６に示すように、通信デバイス６００は、プロセッサ６１０が他のデバイスと通信するように制御することができる送受信機６３０をさらに備えることができ、特に、他のデバイスに情報又はデータを送信することができ、又は他のデバイスから送信された情報又はデータを受信することができる。
【０２２５】
ここで、送受信機６３０は、送信機および受信機を含み得る。送受信機６３０は、１つ以上のアンテナをさらに含むことができる。
【０２２６】
任意選択で、該通信デバイス６００は、具体的には本願の実施例の端末デバイスであってもよく、且つ該通信デバイス６００は、本願の実施例の各方法における端末デバイスにより実現される相応のフローを実現することができ、簡潔にするために、ここでその説明を省略する。
【０２２７】
任意選択で、該通信デバイス６００は具体的に本願の実施例のネットワークデバイスであってもよく、且つ該通信デバイス６００は本願の実施例の各方法におけるネットワークデバイスにより実現される対応するフローを実現してもよく、簡潔にするために、ここでその説明が省略される。
【０２２８】
図７は、本願の実施例のチップの概略構成図である。図７に示すチップ７００は、メモリからコンピュータプログラムを呼び出して実行することにより、本願の実施例における方法を実現するプロセッサ７１０を含む。
【０２２９】
任意選択で、図７に示すように、チップ７００は、メモリ７２０をさらに含んでもよい。プロセッサ７１０は、メモリ７２０からコンピュータプログラムを呼び出して実行することにより、本願の実施例における方法を実現することができる。
【０２３０】
ここで、メモリ７２０は、プロセッサ７１０とは独立した別個の部品であってもよいし、プロセッサ７１０に集積されていてもよい。
【０２３１】
任意選択で、チップ７００は、入力インタフェース７３０をさらに含むことができる。ここで、プロセッサ７１０は、該入力インタフェース７３０を制御して他のデバイス又はチップと通信し、具体的には、他のデバイス又はチップから送信された情報又はデータを取得することができる。
【０２３２】
任意選択で、チップ７００は、出力インタフェース７４０をさらに含むことができる。ここで、プロセッサ７１０は、出力インタフェース７４０を制御して他のデバイス又はチップと通信し、具体的には、他のデバイス又はチップに情報又はデータを出力することができる。
【０２３３】
任意選択で、該チップは、本願の実施例における端末デバイスに適用され、且つ該チップは、本願の実施例における各方法において端末デバイスにより実現される対応するフローを実現することができ、簡潔にするために、ここでその説明が省略される。
【０２３４】
任意選択で、該チップは、本願の実施例におけるネットワークデバイスに適用され、且つ該チップは、本願の実施例の各方法におけるネットワークデバイスにより実現される対応するフローを実現することができ、簡潔にするために、ここでその説明が省略される。
【０２３５】
なお、本願の実施例で言及されるチップは、システムレベルチップ、システムチップ、チップシステムまたはシステムオンチップなどと称されることもあることを理解されたい。
【０２３６】
本願の実施例のプロセッサは、信号の処理能力を有する集積回路チップであってもよい。実装において、方法の実施例における上述のステップは、プロセッサ内のハードウェアの集積論理回路またはソフトウェアの形態の命令によって達成され得る。上述したプロセッサは、汎用プロセッサ、ＤＳＰ（Ｄｉｇｉｔａｌ Ｓｉｇｎａｌ Ｐｒｏｃｅｓｓｏｒ）、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ Ｐｒｏｇｒａｍｍａｂｌｅ Ｇａｔｅ Ａｒｒａｙ）、または他のプログラマブル論理デバイス、ディスクリートゲートまたはトランジスタ論理デバイス、ディスクリートハードウェアコンポーネントであってもよい。本願の実施例に開示された方法、ステップ、及び論理ブロック図は、具現されたり実行されたりすることができる。汎用プロセッサは、マイクロプロセッサであってもよいし、任意の従来のプロセッサなどであってもよい。本願の実施例に関連して開示される方法のステップは、ハードウェアの復号プロセッサによって実行されるように直接具現化されてもよく、又は復号プロセッサ内のハードウェア及びソフトウェアモジュールの組み合わせによって実行されるように具現化されてもよい。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で周知の記憶媒体内に配置され得る。記憶媒体はメモリに配置され、プロセッサは、メモリの情報を読み取り、そのハードウェアと共に、上記方法のステップを実行する。
【０２３７】
本願の実施例におけるメモリは、揮発性メモリ又は不揮発性メモリであるか、又は揮発性メモリ及び不揮発性メモリの両方を含むことができることを理解されたい。ここで、不揮発性メモリは、Ｒｅａｄ−Ｏｎｌｙ Ｍｅｍｏｒｙ、Ｐｒｏｇｒａｍｍａｂｌｅ ＲＯＭ、ＥＰＲＯＭ、Ｅｌｅｃｔｒｉｃａｌｌｙ ＥＰＲＯＭ、またはフラッシュメモリであってもよい。揮発性メモリは、外部キャッシュとして使用されるランダムアクセスメモリ(Ｒａｎｄｏｍ Ａｃｃｅｓｓ Ｍｅｍｏｒｙ、ＲＡＭ)であってもよい。限定ではなく例示として、静的ランダムアクセスメモリ(Ｓｔａｔｉｃ ＲＡＭ、ＳＲＡＭ)、動的ランダムアクセスメモリ(Ｄｙｎａｍｉｃ ＲＡＭ、ＤＲＡＭ)、シンクロナスダイナミックランダムアクセスメモリ(Ｓｙｎｃｈｒｏｎｏｕｓ ＤＲＡＭ、ＳＤＲＡＭ)、ダブルデータレートシンクロナスダイナミックランダムアクセスメモリ(Ｄｏｕｂｌｅ Ｄａｔａ Ｒａｔｅ ＳＤＲＡＭ、ＤＤＲ ＳＤＲＡＭ)、エンハンストシンクロナスダイナミックランダムアクセスメモリ(Ｅｎｈａｎｃｅｄ ＳＤＲＡＭ、ＥＳＤＲＡＭ)、シンクロナスリンクダイナミックランダムアクセスメモリ(Ｓｙｎｃｈｌｉｎｋ ＤＲＡＭ、ＳＬＤＲＡＭ)、およびダイレクトメモリバスランダムアクセスメモリ(Ｄｉｒｅｃｔ Ｒａｍｂｕｓ ＲＡＭ、ＤＲ ＲＡＭ)など、多くの形態のＲＡＭが利用可能である。本明細書で説明するシステムおよび方法のメモリは、これらおよび任意の他の適切なタイプのメモリを含むことが意図されるが、これらに限定されないことに留意されたい。
【０２３８】
なお、上述したメモリは例示的なものであって限定的なものではないが、例えば、本願の実施例におけるメモリは、ＳＲＡＭ （ ｓｔａｔｉｃ ＲＡＭ ）、ＤＲＡＭ （ ｄｙｎａｍｉｃ ＲＡＭ ）、ＳＤＲＡＭ （ ｓｙｎｃｈｒｏｎｏｕｓ ＤＲＡＭ)、ＤＤＲ （ ＤＤＲ ＳＤＲＡＭ)のダブルデータレート同期型ダイナミックランダムアクセスメモリ、ＥＳＤＲＡＭ （ ｅｎｈａｎｃｅｄ ＳＤＲＡＭ ）、ＳＬＤＲＡＭ （ ｓｙｎｃｈ ｌｉｎｋ ＤＲＡＭ)、ＤＲ ＲＡＭ （ Ｄｉｒｅｃｔ Ｒａｍｂｕｓ ＲＡＭ)等であってもよい。すなわち、本願の実施例におけるメモリは、これら及び任意の他の適切なタイプのメモリを含むことが意図されるが、これらに限定されない。
【０２３９】
図８は、本願の実施例による通信システム８００の概略ブロック図である。図８に示すように、通信システム８００は、端末デバイス８１０と、ネットワークデバイス８２０とを備える。
【０２４０】
ここで、該端末デバイス８１０は、前記端末デバイスがサポートする能力が属する少なくとも１つの能力グループの識別子をネットワークデバイスに報告することに用いられる。
【０２４１】
ここで、該ネットワークデバイス８２０は、端末デバイスから報告された前記端末デバイスがサポートする能力が属する少なくとも１つの能力グループの識別子を受信する。
【０２４２】
ここで、該端末デバイス８１０は、上述の図２の方法で端末デバイスにより実現される相応の機能を実現することに用いられ、及び該端末デバイス８１０の構成は、図４中の端末デバイス４００に示すとおりであってもよく、簡潔にするために、ここでは詳しい説明を省略する。
【０２４３】
ここで、該ネットワークデバイス８２０は、上述の図３の方法においてネットワークデバイスにより実現される相応の機能を実現するために用いられてもよく、及び該ネットワークデバイス８２０の構成は、図５におけるネットワークデバイス５００に示されてもよく、簡潔にするために、ここでその説明が省略される。
【０２４４】
本願の実施例は、コンピュータプログラムを記憶するコンピュータ可読記憶媒体をさらに提供する。任意選択で、該コンピュータ読み取り可能な記憶媒体は、本願の実施例におけるネットワークデバイスに適用され、且つ該コンピュータプログラムは、コンピュータに、本願の実施例の各方法におけるネットワークデバイスにより実現される相応のフローを実行させ、簡潔にするために、ここではその説明を省略する。任意選択で、該コンピュータ読み取り可能な記憶媒体は、本願の実施例における端末デバイスに適用され、且つ該コンピュータプログラムは、コンピュータに、本願の実施例の各方法における端末デバイスにより実現される相応のフローを実行させ、簡潔にするために、ここではその説明を省略する。
【０２４５】
本願の実施例は、コンピュータプログラム命令を含むコンピュータプログラム製品をさらに提供する。任意選択で、当該コンピュータプログラム製品は、本願の実施例におけるネットワークデバイスに適用され、当該コンピュータプログラム命令は、コンピュータに、本願の実施例の各方法におけるネットワークデバイスにより実現される対応するフローを実行させ、簡潔にするために、ここでその説明を省略する。任意選択で、当該コンピュータプログラム製品は、本願の実施例における端末デバイスに適用され、当該コンピュータプログラム命令は、コンピュータに、本願の実施例における各方法のうち、端末デバイスにより実現される対応するフローを実行させ、簡潔にするために、ここではその説明を省略する。
【０２４６】
本願の実施例は、コンピュータプログラムをさらに提供する。任意選択で、該コンピュータプログラムは、本願の実施例におけるネットワークデバイスに適用されてもよく、該コンピュータプログラムがコンピュータ上で実行されると、コンピュータに本願の実施例の各方法におけるネットワークデバイスにより実現される対応するフローを実行させ、簡潔にするために、ここではその説明を省略する。任意選択で、該コンピュータプログラムは、本願の実施例における端末デバイスに適用されてもよく、該コンピュータプログラムがコンピュータ上で実行されると、コンピュータに本願の実施例の各方法における端末デバイスにより実現される対応するフローを実行させ、簡潔にするために、ここではその説明を省略する。
【０２４７】
なお、本明細書において、用語「システム」及び「ネットワーク」は、しばしば、交換可能に使用される。ここで言う「及び/又は」とは、単に関連対象を説明する関連関係のことであり、Ａ及び/又はＢのように３つの関係があり、Ａ単独の場合、ＡとＢの両方の場合、Ｂ単独の場合の３つの場合があることを意味する。また、本文中の「/」は、前後関係オブジェクトが「または」の関係であることを一般的に示す。
【０２４８】
なお、本願の実施例において、「Ａに対応する(対応する) Ｂ」は、ＢがＡに関連し、ＡからＢを決定することができることを意味する。しかしながら、ＡからＢを決定することは、ＡのみからＢを決定することを意味するのではなく、Ａおよび/または他の情報からＢを決定することもできることを理解されたい。
【０２４９】
当業者は、本明細書に開示された実施例に関連して説明された各例のユニット及びアルゴリズムステップが、電子ハードウェア、又はコンピュータソフトウェアと電子ハードウェアの組合せで実装され得ることを認識するであろう。これらの機能がハードウェアまたはソフトウェアのいずれの方法で実行されるかは、技術案の特定の適用例および設計制約に依存する。当業者は、説明された機能を実施するために、特定の適用例ごとに異なる方法を使用してもよいが、そのような実施は、本願の範囲から逸脱すると見なされるべきではない。
【０２５０】
当業者であれば、説明の便宜及び簡潔のために、上記説明したシステム、装置及びユニットの具体的な動作過程は、上記方法の実施例における対応する過程を参照してもよく、ここでその説明が省略されることを理解するであろう。
【０２５１】
本明細書で提供されるいくつかの実施例では、開示されるシステム、装置、および方法は、他の方法で実施され得ることを理解されたい。例えば、上述の装置の実施例は、単なる例示であり、例えば、ユニットの分割は、論理的機能の分割のみであり、実際の実装では、追加の分割があってもよく、例えば、複数のユニット又は構成要素が別のシステムに結合されても又は統合されてもよく、又は、いくつかの特徴が省略されても又は実行されなくてもよい。別の点において、示された又は考察された相互の結合又は直接的な結合又は通信接続は、電気的、機械的又は他の形態の、何らかのインターフェース、装置又はユニットを介した間接的な結合又は通信接続であってもよい。
【０２５２】
前記分離手段として説明された手段は、物理的に分離されても、または分離されなくてもよく、手段として示された手段は、物理的な手段であっても、または分離されなくてもよく、すなわち、一箇所に位置してもよく、または複数のネットワーク要素に分散されてもよい。なお、この実施例の目的を達成するために、必要に応じて、その一部または全部を選択することができる。
【０２５３】
また、本願の各実施例における各機能ユニットは、１つの処理ユニットに集積されてもよいし、それぞれのユニットが物理的に別個に存在してもよいし、２つ以上のユニットが１つのユニットに集積されてもよい。
【０２５４】
また、これらの機能がソフトウェア機能として実現され、独立した製品として販売または利用される場合には、コンピュータ読み取り可能な記録媒体に格納されてもよい。このような理解に基づいて、本願の技術案は、本質的に、または、従来技術に貢献する部分、または、その技術案の部分を、記憶媒体に記憶されたソフトウェア製品の形態で具体化することができ、そのソフトウェア製品は、本願の各実施例で説明される方法のステップの全部または一部を、コンピュータ装置(パーソナルコンピュータ、サーバ、またはネットワークデバイスなどであってもよい)に実行させるための命令を含む。また、前記記憶媒体としては、U-ディスク、ポータブルハードディスク、Ｒｅａｄ−Ｏｎｌｙ Ｍｅｍｏｒｙ （ ＲＯＭ ）、ＲＡＭ、磁気ディスク、光ディスクなど種々のプログラムコードを記憶できるものが含まれる。
【０２５５】
以上のように、本願の実施例は、本願の技術的思想に基づいて説明されたが、本願は、上述の実施例に限定されるものではなく、本願の技術的思想に基づく当業者であれば、本願の技術的範囲に含まれる。したがって、本願の保護範囲は、特許請求の範囲の保護範囲によってのみ定められるべきである。
【図１】
2022501859.tif 000003
【図２】
2022501859.tif 000004
【図３】
2022501859.tif 000005
【図４】
2022501859.tif 000006
【図５】
2022501859.tif 000007
【図６】
2022501859.tif 000008
【図７】
2022501859.tif 000009
【図８】
2022501859.tif 000010
【手続補正書】
【提出日】令和3年8月2日(2021.8.2)
【手続補正１】
【補正対象書類名】明細書
【補正対象項目名】００２０
【補正方法】削除
【補正の内容】
【手続補正２】
【補正対象書類名】明細書
【補正対象項目名】０１８０
【補正方法】変更
【補正の内容】
【０１８０】
任意選択で、前記下り信号がＣＳＩ−ＲＳであり、前記下り信号に対応する上り信号がＰＵＳＣＨ又はＰＵＣＣＨであり、前記ＰＵＳＣＨ又はＰＵＣＣＨは、前記ＣＳＩ−ＲＳに基づいて測定されたＣＳＩを搬送する。
【手続補正３】
【補正対象書類名】明細書
【補正対象項目名】０１８２
【補正方法】変更
【補正の内容】
【０１８２】
任意選択で、前記下り信号の少なくとも１つのＴＣＩ状態にＣＳＩ−ＲＳのリソースインデックスが含まれ、前記空間関連情報が前記下り信号に対応する上り信号の送信に使用されるビーム又はアンテナパネルであり、前記処理ユニット４２０は、具体的に、前記ＣＳＩ−ＲＳリソースインデックスに対応するＣＳＩ−ＲＳリソースの受信に使用されるビームを、前記下り信号に対応する上り信号の送信に使用されるビームとして決定し、及び／又は、前記ＣＳＩ−ＲＳリソースインデックスに対応するＣＳＩ−ＲＳリソースの受信に使用されるアンテナパネルを、前記下り信号に対応する上り信号の送信に使用されるアンテナパネルとして決定するように構成される。
【手続補正４】
【補正対象書類名】明細書
【補正対象項目名】０２１３
【補正方法】変更
【補正の内容】
【０２１３】
任意選択で、前記下り信号の少なくとも１つのＴＣＩ状態にＣＳＩ−ＲＳのリソースインデックスが含まれ、前記空間関連情報は、前記下り信号に対応する上り信号の受信に使用されるビーム又はアンテナパネルであり、前記処理ユニット５２０は、具体的に、前記ＣＳＩ−ＲＳリソースインデックスに対応するＣＳＩ−ＲＳリソースの送信に使用されるビームを、前記下り信号に対応する上り信号の受信に使用されるビームとして決定し、及び／又は、前記ＣＳＩ−ＲＳリソースインデックスに対応するＣＳＩ−ＲＳリソースの送信に使用されるアンテナパネルを、前記下り信号に対応する上り信号の受信に使用されるアンテナパネルとして決定するように構成される。
【手続補正５】
【補正対象書類名】特許請求の範囲
【補正対象項目名】全文
【補正方法】変更
【補正の内容】
【特許請求の範囲】
【請求項１】
端末デバイスがネットワークデバイスにより送信された下り信号を受信することと、
前記端末デバイスが前記下り信号の少なくとも１つのＴＣＩ状態に基づいて、前記下り信号に対応する上り信号の空間関連情報を決定することと、
前記端末デバイスが前記空間関連情報に基づいて、前記ネットワークデバイスに前記上り信号を送信することとを含む
ことを特徴とする上り信号の送信方法。
【請求項２】
前記下り信号が物理下り共有チャネルＰＤＳＣＨ、物理下り制御チャネルＰＤＣＣＨ及びチャネル状態情報参照信号ＣＳＩ−ＲＳのうちの少なくとも１つを含み、前記下り信号に対応する上り信号が物理上り共有チャネルＰＵＳＣＨ、物理上り制御チャネルＰＵＣＣＨ及びサウンディング参照信号ＳＲＳのうちの少なくとも１つを含む
ことを特徴とする請求項１に記載の上り信号の送信方法。
【請求項３】
前記下り信号がＰＤＳＣＨであり、前記下り信号に対応する上り信号がＰＵＣＣＨであり、前記ＰＵＣＣＨが前記ＰＤＳＣＨの応答ＡＣＫ／否定応答ＮＡＣＫ情報を搬送するために使用される
ことを特徴とする請求項１又は２に記載の上り信号の送信方法。
【請求項４】
前記下り信号が下り制御シグナリングＤＣＩを搬送するＰＤＣＣＨであり、前記下り信号に対応する上り信号がＰＵＳＣＨであり、前記ＰＵＳＣＨが前記ＤＣＩによりスケジューリングされたデータ又は前記ＤＣＩによりトリガーされたＣＳＩ報告を搬送するために使用される
ことを特徴とする請求項１又は２に記載の上り信号の送信方法。
【請求項５】
前記空間関連情報は、前記下り信号に対応する上り信号の送信に使用されるビーム及び/又はアンテナパネルを含む
ことを特徴とする請求項１〜４のいずれか１項に記載の上り信号の送信方法。
【請求項６】
前記下り信号の少なくとも１つのＴＣＩ状態にＣＳＩ−ＲＳリソースインデックスが含まれ、前記空間関連情報が前記下り信号に対応する上り信号の送信に使用されるビーム又はアンテナパネルであり、前記端末デバイスが前記下り信号の少なくとも１つのＴＣＩ状態に基づいて前記下り信号に対応する上り信号の空間関連情報を決定することは、
前記端末デバイスが、前記ＣＳＩ−ＲＳリソースインデックスに対応するＣＳＩ−ＲＳリソースの受信に使用されるビームを、前記下り信号に対応する上り信号の送信に使用されるビームとして決定すること、及び／又は、
前記端末デバイスが、前記ＣＳＩ−ＲＳリソースインデックスに対応するＣＳＩ−ＲＳリソースの受信に使用されるアンテナパネルを、前記下り信号に対応する上り信号の送信に使用されるアンテナパネルとして決定することを含む
ことを特徴とする請求項１〜５のいずれか１項に記載の上り信号の送信方法。
【請求項７】
前記端末デバイスが前記下り信号の少なくとも１つのＴＣＩ状態に基づいて、前記下り信号に対応する上り信号の空間関連情報を決定することは、
前記端末デバイスが前記少なくとも１つのＴＣＩ状態における第１のＴＣＩ状態に基づいて、前記下り信号に対応する上り信号の空間関連情報を決定することを含む
ことを特徴とする請求項１〜６のいずれか１項に記載の上り信号の送信方法。
【請求項８】
前記第１のＴＣＩ状態は、
前記少なくとも１つのＴＣＩ状態のうちの１番目のＴＣＩ状態、
前記少なくとも１つのＴＣＩ状態のうちの２番目のＴＣＩ状態、
前記少なくとも１つのＴＣＩ状態のうちのＳＳＢインデックスを含むＴＣＩ状態、
前記少なくとも１つのＴＣＩ状態のうちの１番目の復調参照信号ＤＭＲＳポートグループに対応するＴＣＩ状態、
前記少なくとも１つのＴＣＩ状態のうちの２番目のＤＭＲＳポートグループに対応するＴＣＩ状態、
前記少なくとも１つのＴＣＩ状態のうちの１番目のＰＴＲＳポートを含むＴＣＩ状態、
前記少なくとも１つのＴＣＩ状態のうちの２番目のＰＴＲＳポートを含むＴＣＩ状態のいずれか１つである
ことを特徴とする請求項７に記載の上り信号の送信方法。
【請求項９】
通信ユニットと、処理ユニットと、を含む端末デバイスであって、
前記通信ユニットは、ネットワークデバイスにより送信された下り信号を受信するように構成され、
前記処理ユニットは、前記下り信号の少なくとも１つのＴＣＩ状態に基づいて前記下り信号に対応する上り信号の空間関連情報を決定するように構成され、
前記通信ユニットは、さらに、前記空間関連情報に基づいて前記ネットワークデバイスに前記上り信号を送信するように構成される
ことを特徴とする端末デバイス。
【請求項１０】
前記下り信号が物理下り共有チャネルＰＤＳＣＨ、物理下り制御チャネルＰＤＣＣＨ及びチャネル状態情報参照信号ＣＳＩ−ＲＳのうちの少なくとも１つを含み、前記下り信号に対応する上り信号が物理上り共有チャネルＰＵＳＣＨ、物理上り制御チャネルＰＵＣＣＨ及びサウンディング参照信号ＳＲＳのうちの少なくとも１つを含む
ことを特徴とする請求項９に記載の端末デバイス。
【請求項１１】
前記下り信号がＰＤＳＣＨであり、前記下り信号に対応する上り信号がＰＵＣＣＨであり、前記ＰＵＣＣＨが前記ＰＤＳＣＨの応答ＡＣＫ／否定応答ＮＡＣＫ情報を搬送するために使用される
ことを特徴とする請求項９又は１０に記載の端末デバイス。
【請求項１２】
前記下り信号が下り制御シグナリングＤＣＩを搬送するＰＤＣＣＨであり、前記下り信号に対応する上り信号がＰＵＳＣＨであり、前記ＰＵＳＣＨが前記ＤＣＩによりスケジューリングされたデータ又は前記ＤＣＩによりトリガーされたＣＳＩ報告を搬送するために使用される
ことを特徴とする請求項９又は１０に記載の端末デバイス。
【請求項１３】
前記空間関連情報は、前記下り信号に対応する上り信号の送信に使用されるビーム及び/又はアンテナパネルを含む
ことを特徴とする請求項９〜１２のいずれか１項に記載の端末デバイス。
【請求項１４】
前記下り信号の少なくとも１つのＴＣＩ状態にＣＳＩ−ＲＳリソースインデックスが含まれ、前記空間関連情報が前記下り信号に対応する上り信号の送信に使用されるビーム又はアンテナパネルであり、前記処理ユニットは、さらに、
前記ＣＳＩ−ＲＳリソースインデックスに対応するＣＳＩ−ＲＳリソースの受信に使用されるビームを前記下り信号に対応する上り信号の送信に使用されるビームとして決定し、及び／又は、
前記ＣＳＩ−ＲＳリソースインデックスに対応するＣＳＩ−ＲＳリソースの受信に使用されるアンテナパネルを前記下り信号に対応する上り信号の送信に使用されるアンテナパネルとして決定するように構成される
ことを特徴とする請求項９〜１３のいずれか１項に記載の端末デバイス。
【請求項１５】
前記処理ユニットは、さらに、
前記少なくとも１つのＴＣＩ状態のうちの第１のＴＣＩ状態に基づいて、前記下り信号に対応する上り信号の空間関連情報を決定するように構成される
ことを特徴とする請求項９〜１４のいずれか１項に記載の端末デバイス。
【請求項１６】
前記第１のＴＣＩ状態は、
前記少なくとも１つのＴＣＩ状態のうちの１番目のＴＣＩ状態、
前記少なくとも１つのＴＣＩ状態のうちの２番目のＴＣＩ状態、
前記少なくとも１つのＴＣＩ状態のうちのＳＳＢインデックスを含むＴＣＩ状態、
前記少なくとも１つのＴＣＩ状態のうちの１番目の復調参照信号ＤＭＲＳポートグループに対応するＴＣＩ状態、
前記少なくとも１つのＴＣＩ状態のうちの２番目のＤＭＲＳポートグループに対応するＴＣＩ状態、
前記少なくとも１つのＴＣＩ状態のうちの１番目のＰＴＲＳポートを含むＴＣＩ状態、
前記少なくとも１つのＴＣＩ状態のうちの２番目のＰＴＲＳポートを含むＴＣＩ状態のいずれか１つである
ことを特徴とする請求項１５に記載の端末デバイス。
【手続補正６】
【補正対象書類名】図面
【補正対象項目名】図２
【補正方法】変更
【補正の内容】
【図２】
2022501859.tif 000011
【国際調査報告】
2022501859.tif 000012
2022501859.tif 000013
2022501859.tif 000014
2022501859.tif 000015